(57)【特許請求の範囲】
【請求項１】
UE（User Equipment）をコアネットワーク側に接続し、SMS（Short Message Service）である旨を示す情報またはSMS以外である旨を示す情報とSMMA（Short Message Memory Available）であるか否かを示す情報とを含むSIP（Session Initiation Protocol）メッセージを前記コアネットワーク側に送信するフェムトセル用基地局であって、
SMSに関する情報を前記UEから受信した場合に、該受信したSMSに関する情報を含んだSIPメッセージに変換し、該変換したSIPメッセージをコアネットワーク側に送信する第１の送信手段と、
SMSに関する情報を含んだSIPメッセージをコアネットワーク側から受信した場合に、該受信したSIPメッセージに含まれるSMSに関する情報を前記UEが認識できるメッセージに変換し、該変換したSMSに関する情報を前記UEに送信する第２の送信手段と、
SMSの到達可否を制御する際に使用するフラグのオン、オフを制御する制御手段と、
を有することを特徴とするフェムトセル用基地局。
【請求項２】
前記制御手段は、
前記フェムトセル用基地局の配下に在圏しているUEの圏外を検知した場合に、前記フラグをオンにセットし、前記SMSが到達不可であったことを示す状態に移行させ、
前記UEの圏外復帰を検知した場合に、前記フラグをオフにセットし、前記SMSが到達可能な状態に移行させることを特徴とする請求項１記載のフェムトセル用基地局。
【請求項３】
前記制御手段は、
前記UEにPagingを送信してから所定時間が経過してもPaging Responseを受信できない場合に、前記フラグをオンにセットすることを特徴とする請求項１または２記載のフェムトセル用基地局。
【請求項４】
前記制御手段は、
前記UEにRP-MTの情報を送信してから所定時間が経過してもCP-ACKの情報を受信できない場合に、前記フラグをオンにセットすることを特徴とする請求項１から３の何れか１項に記載のフェムトセル用基地局。
【請求項５】
前記制御手段は、
CP-ACKの情報を受信してから所定時間が経過してもRP-ACKの情報を受信できない場合に、前記フラグをオンにセットすることを特徴とする請求項１から４の何れか１項に記載のフェムトセル用基地局。
【請求項６】
前記制御手段は、
前記UEの圏外復帰を検知した場合に、MS presentの情報をコアネットワーク側に送信し、前記コアネットワーク側からRP-ACKの情報を受信した場合に、前記フラグをオフにセットすることを特徴とする請求項２から５の何れか１項に記載のフェムトセル用基地局。
【請求項７】
前記制御手段は、
前記フラグをオンにセットした状態で前記コアネットワーク側から前記MS presentの情報に対する応答を受信できない場合は、前記フラグをオンにセットしたままの状態にすることを特徴とする請求項６記載のフェムトセル用基地局。
【請求項８】
前記制御手段は、
前記フラグをオンにセットした状態で前記コアネットワーク側からRP-ERRORの情報を受信した場合は、前記フラグをオンにセットしたままの状態にすることを特徴とする請求項１から７の何れか１項に記載のフェムトセル用基地局。
【請求項９】
前記制御手段は、
前記UEのメモリ不足が発生した旨の情報を前記UEから受信した場合に、その旨の情報をコアネットワーク側に送信し、前記コアネットワーク側に存在するHLR（Home Location Register）で管理するMCEF（Mobile-Station-Memory-Capacity-Exceeded-Flag）をオンにするように制御することを特徴とする請求項１から８の何れか１項に記載のフェムトセル用基地局。
【請求項１０】
前記制御手段は、
前記UEのメモリ不足が解消した旨の情報を前記UEから受信した場合に、その旨の情報をコアネットワーク側に送信し、前記HLRで管理する前記MCEFをオフにするように制御することを特徴とする請求項９記載のフェムトセル用基地局。
【請求項１１】
前記制御手段は、
前記コアネットワーク側からRP-ERRORの情報を受信した場合は、RP-ERRORの情報を前記UEに送信することを特徴とする請求項９または１０記載のフェムトセル用基地局。
【請求項１２】
前記制御手段は、
前記UEが発信規制対象のUEに該当するか否かに関わらず前記MS presentの情報を前記コアネットワーク側に存在するHLRまで流通させるための規制対象外識別情報と共に、前記MS presentの情報をコアネットワーク側に送信することを特徴とする請求項６から１１の何れか１項に記載のフェムトセル用基地局。
【請求項１３】
前記制御手段は、
前記UEが発信規制対象のUEに該当するか否かに関わらず前記UEのメモリ不足が解消した旨の情報を前記コアネットワーク側に存在するHLRまで流通させるための規制対象外識別情報と共に、前記UEのメモリ不足が解消した旨の情報をコアネットワーク側に送信することを特徴とする請求項１０から１２の何れか１項に記載のフェムトセル用基地局。
【請求項１４】
UE（User Equipment）をコアネットワーク側に接続するフェムトセル用基地局を介して前記UEにショートメッセージを転送するゲートウェイシステムであって、
SIP（Session Initiation Protocol）メッセージを受信した場合に、該受信したSIPメッセージが、SMSC（Short Message Service Center）宛に送信するものである場合は、前記SIPメッセージの内容を前記SMSC宛に転送し、該受信したSIPメッセージがSMSC宛以外に送信するものである場合は、前記SIPメッセージの内容を前記コアネットワーク側の装置宛に転送する転送手段を有し、
前記転送手段は、
前記受信したSIPメッセージに、SMS（Short Message Service）である旨を示す情報及びSMMA（Short Message Memory Available）でない旨を示す情報が含まれている場合に、前記受信したSIPメッセージが、前記SMSC宛に送信するものであると判別し、
前記受信したSIPメッセージに、SMS以外である旨を示す情報が含まれている場合、または、前記SMSである旨を示す情報及びSMMAである旨を示す情報が含まれている場合に、前記受信したSIPメッセージが、前記SMSC宛以外に送信するものであると判別することを特徴とするゲートウェイシステム。
【請求項１５】
前記転送手段は、
前記SMSCから前記ショートメッセージの配信要求を受信した場合に、前記配信要求を前記フェムトセル用基地局に転送する第１の転送手段と、
前記配信要求を転送してから所定時間が経過しても前記配信要求に対する応答を前記フェムトセル用基地局から受信できない場合に、障害発生によるショートメッセージの配信エラーの情報を前記SMSCに転送する第２の転送手段と、
を有することを特徴とする請求項１４記載のゲートウェイシステム。
【請求項１６】
前記第２の転送手段は、
前記配信要求に対する応答を受信してから所定時間が経過してもRP-ACKの情報を受信できない場合に、前記UEの圏外によるショートメッセージの配信エラーの情報を前記SMSCに転送することを特徴とする請求項１５記載のゲートウェイシステム。
【請求項１７】
前記第２の転送手段は、
前記フェムトセル用基地局から受信した前記配信要求に対する応答が、前記配信要求に対応できない旨の内容の場合は、加入者未確認によるショートメッセージの配信エラーの情報を前記SMSCに転送することを特徴とする請求項１５または１６記載のゲートウェイシステム。
【請求項１８】
前記第２の転送手段は、
MS presentの情報を前記フェムトセル用基地局から受信した場合に、MS Presentの情報をHLR（Home Location Register）に送信し、前記HLRから前記SMSCに前記ショートメッセージの再送要求を行うことを特徴とする請求項１５から１７の何れか１項に記載のゲートウェイシステム。
【請求項１９】
前記第２の転送手段は、
前記UEのメモリ不足が発生した旨の情報を前記フェムトセル用基地局から受信した場合に、その旨の情報を前記SMSCを介してHLR（Home Location Register）に送信し、当該HLRで管理するMCEF（Mobile-Station-Memory-Capacity-Exceeded-Flag）をオンするように制御することを特徴とする請求項１５から１８の何れか１項に記載のゲートウェイシステム。
【請求項２０】
前記第２の転送手段は、
前記UEのメモリ不足が解消した旨の情報を前記フェムトセル用基地局から受信した場合に、その旨の情報を前記HLRに送信し、当該HLRで管理するMCEFをオフするように制御すると共に、前記HLRから前記SMSCに前記ショートメッセージの再送要求を行うことを特徴とする請求項１９記載のゲートウェイシステム。
【請求項２１】
前記第２の転送手段は、
前記HLRからCause内容を含んだメッセージを受信した場合に、前記Cause内容を含んだメッセージを前記フェムトセル用基地局に転送することを特徴とする請求項１８から２０の何れか１項に記載のゲートウェイシステム。
【請求項２２】
UE（User Equipment）と、前記UEをコアネットワーク側に接続し、SMS（Short Message Service）である旨を示す情報またはSMS以外である旨を示す情報とSMMA（Short Message Memory Available）であるか否かを示す情報とを含むSIP（Session Initiation Protocol）メッセージを前記コアネットワーク側に送信するフェムトセル用基地局と、を少なくとも有して構成する通信システムであって、
前記フェムトセル用基地局は、
SMSに関する情報を前記UEから受信した場合に、該受信したSMSに関する情報を含んだSIPメッセージに変換し、該変換したSIPメッセージを前記コアネットワーク側に送信する第１の送信手段と、
SMSに関する情報を含んだSIPメッセージを前記コアネットワーク側から受信した場合に、該受信したSIPメッセージに含まれるSMSに関する情報を前記UEが認識できるメッセージに変換し、該変換したSMSに関する情報を前記UEに送信する第２の送信手段と、
SMSの到達可否を制御する際に使用するフラグのオン、オフを制御する制御手段と、
を有することを特徴とする通信システム。
【請求項２３】
UE（User Equipment）と、前記UEをコアネットワーク側に接続し、SMS（Short Message Service）である旨を示す情報またはSMS以外である旨を示す情報とSMMA（Short Message Memory Available）であるか否かを示す情報とを含むSIP（Session Initiation Protocol）メッセージを前記コアネットワーク側に送信するフェムトセル用基地局と、前記UEに配信するショートメッセージを管理するSMSC（Short Message Service Center）と、前記フェムトセル用基地局を介して前記UEに前記ショートメッセージを転送するゲートウェイシステムと、を有して構成する通信システムであって、
前記ゲートウェイシステムは、
SIPメッセージを受信した場合に、該受信したSIPメッセージが、SMSC宛に送信するものである場合は、前記SIPメッセージの内容を前記SMSC宛に転送し、該受信したSIPメッセージがSMSC宛以外に送信するものである場合は、前記SIPメッセージの内容を前記コアネットワーク側の装置宛に転送する転送手段を有し、
前記転送手段は、
前記受信したSIPメッセージに、SMSである旨を示す情報及びSMMA（Short Message Memory Available）でない旨を示す情報が含まれている場合に、前記受信したSIPメッセージが、前記SMSC宛に送信するものであると判別し、前記受信したSIPメッセージに、SMS以外である旨を示す情報が含まれている場合、または、前記SMSである旨を示す情報及びSMMAである旨を示す情報が含まれている場合に、前記受信したSIPメッセージが、前記SMSC宛以外に送信するものであると判別することを特徴とする通信システム。
【請求項２４】
UE（User Equipment）をコアネットワーク側に接続し、SMS（Short Message Service）である旨を示す情報またはSMS以外である旨を示す情報とSMMA（Short Message Memory Available）であるか否かを示す情報とを含むSIP（Session Initiation Protocol）メッセージを前記コアネットワーク側に送信するフェムトセル用基地局で行う制御方法であって、
SMSに関する情報を前記UEから受信した場合に、該受信したSMSに関する情報を含んだSIPメッセージに変換し、該変換したSIPメッセージをコアネットワーク側に送信する第１の送信工程と、
SMSに関する情報を含んだSIPメッセージをコアネットワーク側から受信した場合に、該受信したSIPメッセージに含まれるSMSに関する情報を前記UEが認識できるメッセージに変換し、該変換したSMSに関する情報を前記UEに送信する第２の送信工程と、
SMSの到達可否を制御する際に使用するフラグのオン、オフを制御する制御工程と、
を有することを特徴とする制御方法。
【請求項２５】
UE（User Equipment）をコアネットワーク側に接続するフェムトセル用基地局を介して前記UEにショートメッセージを転送するゲートウェイシステムで行う制御方法であって、
SIP（Session Initiation Protocol）メッセージを受信した場合に、該受信したSIPメッセージが、SMSC（Short Message Service Center）宛に送信するものである場合は、前記SIPメッセージの内容を前記SMSC宛に転送し、該受信したSIPメッセージがSMSC宛以外に送信するものである場合は、前記SIPメッセージの内容を前記コアネットワーク側の装置宛に転送する転送工程を有し、
前記転送工程は、
前記受信したSIPメッセージに、SMSである旨を示す情報及びSMMA（Short Message Memory Available）でない旨を示す情報が含まれている場合に、前記受信したSIPメッセージが、前記SMSC宛に送信するものであると判別し、前記受信したSIPメッセージに、SMS以外である旨を示す情報が含まれている場合、または、前記SMSである旨を示す情報及びSMMAである旨を示す情報が含まれている場合に、前記受信したSIPメッセージが、前記SMSC宛以外に送信するものであると判別することを特徴とする制御方法。
【請求項２６】
UE（User Equipment）をコアネットワーク側に接続し、SMS（Short Message Service）である旨を示す情報またはSMS以外である旨を示す情報とSMMA（Short Message Memory Available）であるか否かを示す情報とを含むSIP（Session Initiation Protocol）メッセージを前記コアネットワーク側に送信するフェムトセル用基地局で実行させるプログラムであって、
SMSに関する情報を前記UEから受信した場合に、該受信したSMSに関する情報を含んだSIPメッセージに変換し、該変換したSIPメッセージをコアネットワーク側に送信する第１の送信処理と、
SMSに関する情報を含んだSIPメッセージをコアネットワーク側から受信した場合に、該受信したSIPメッセージに含まれるSMSに関する情報を前記UEが認識できるメッセージに変換し、該変換したSMSに関する情報を前記UEに送信する第２の送信処理と、
SMSの到達可否を制御する際に使用するフラグのオン、オフを制御する制御処理と、
を、コンピュータに実行させることを特徴とするプログラム。
【請求項２７】
UE（User Equipment）をコアネットワーク側に接続するフェムトセル用基地局を介して前記UEにショートメッセージを転送するショートメッセージゲートウェイ装置に実行させるプログラムであって、
SIP（Session Initiation Protocol）メッセージを受信した場合に、該受信したSIPメッセージが、SMSC（Short Message Service Center）宛に送信するものである場合は、前記SIPメッセージの内容を前記SMSC宛に転送し、該受信したSIPメッセージがSMSC宛以外に送信するものである場合は、前記SIPメッセージの内容を前記コアネットワーク側の装置宛に転送し、前記受信したSIPメッセージに、SMSである旨を示す情報及びSMMA（Short Message Memory Available）でない旨を示す情報が含まれている場合に、前記受信したSIPメッセージが、前記SMSC宛に送信するものであると判別し、前記受信したSIPメッセージに、SMS以外である旨を示す情報が含まれている場合、または、前記SMSである旨を示す情報及びSMMAである旨を示す情報が含まれている場合に、前記受信したSIPメッセージが、前記SMSC宛以外に送信するものであると判別する転送処理を、コンピュータに実行させることを特徴とするプログラム。
【発明の詳細な説明】
【技術分野】
【０００１】
本発明は、フェムトセル用基地局を用いて通信を行う技術に関する。
【背景技術】
【０００２】
近年、通信エリアの品質向上を図るべく、フェムトセル用基地局を導入した通信システムの開発が進められている（例えば、特許文献１、２参照）。
【０００３】
フェムトセル用基地局は、半径数十メートル程度の狭い通信エリアをカバーする小型無線基地局であり、家庭やオフィス等の室内に設置し、室内の通信エリアをカバーすることを目的としている。これにより、既存のマクロセル用基地局がカバーできない通信エリアの通信品質を改善することを可能にしている。また、マクロセル用基地局のインフラ整備にコストをかけずに通信エリアをカバーすることを可能にしている。
【先行技術文献】
【特許文献】
【０００４】
【特許文献１】特表２００９-５０４０４９号公報
【特許文献２】特表２００９-５０４０５１号公報
【発明の概要】
【発明が解決しようとする課題】
【０００５】
既存の3G網では、Short Message Service（SMS）がUE（User Equipment）に提供されている。
【０００６】
しかし、既存の3G網では、上述したフェムトセル用基地局を導入する構成についてまでは考慮されていないのが現状である。このため、上述したフェムトセル用基地局を導入した通信システムにおいて、既存の3G網で提供しているShort Message Service（SMS）を実現することが可能なシステムを構築することが必要視される。
【０００７】
本発明は、上記事情に鑑みてなされたものであり、上述した課題である、フェムトセル用基地局を導入した通信システムにおいて、既存の3G網で提供しているShort Message Service（SMS）を実現することが可能なフェムトセル用基地局、ゲートウェイシステム、MAPゲートウェイ装置（MAP-GW装置）、通信システム、制御方法及びプログラムを提供することを目的とする。
【課題を解決するための手段】
【０００８】
かかる目的を達成するために、本発明は、以下の特徴を有することとする。
【０００９】
＜フェムトセル用基地局＞
本発明にかかるフェムトセル用基地局は、
UE（User Equipment）をコアネットワーク側に接続するフェムトセル用基地局であって、
SMS（Short Message Service）に関する情報を前記UEから受信した場合に、該受信したSMSに関する情報を含んだSIP（Session Initiation Protocol）メッセージに変換し、該変換したSIPメッセージをコアネットワーク側に送信する第１の送信手段と、
SMSに関する情報を含んだSIPメッセージをコアネットワーク側から受信した場合に、該受信したSIPメッセージに含まれるSMSに関する情報を前記UEが認識できるメッセージに変換し、該変換したSMSに関する情報を前記UEに送信する第２の送信手段と、
を有することを特徴とする。
【００１０】
＜フェムトセル用基地局＞
本発明にかかるフェムトセル用基地局は、
UE（User Equipment）をコアネットワーク側に接続するフェムトセル用基地局であって、
SMS（Short Message Service）の到達可否を制御する際に使用するフラグのオン、オフを制御する制御手段を有することを特徴とする。
【００１１】
＜ゲートウェイシステム＞
本発明にかかるゲートウェイシステムは、
UE（User Equipment）をコアネットワーク側に接続するフェムトセル用基地局を介して前記UEにショートメッセージを転送するゲートウェイシステムであって、
SIP（Session Initiation Protocol）メッセージを受信した場合に、該受信したSIPメッセージが、SMSC（Short Message Service Center）宛に送信するものである場合は、前記SIPメッセージの内容を前記SMSC宛に転送し、該受信したSIPメッセージがSMSC宛以外に送信するものである場合は、前記SIPメッセージの内容を前記コアネットワーク側の装置宛に転送する転送手段を有することを特徴とする。
【００１２】
＜MAPゲートウェイ装置（MAP-GW装置）＞
本発明にかかるMAPゲートウェイ装置は、
ショートメッセージの配信を提供する機能を備えた通信システムに用いられるMAP（Mobile Application Part）ゲートウェイ装置であって、
受信したメッセージにMS PresentまたはSMMA（Short Message Memory Available）の情報が含まれている場合に、前記MS Presentまたは前記SMMAの情報に応じたメッセージをHLR（Home Location Register）に送信する制御手段を有することを特徴とする。
【００１３】
＜通信システム＞
本発明にかかる通信システムは、
UE（User Equipment）と、前記UEをコアネットワーク側に接続するフェムトセル用基地局と、を少なくとも有して構成する通信システムであって、
前記フェムトセル用基地局は、
SMS（Short Message Service）に関する情報を前記UEから受信した場合に、該受信したSMSに関する情報を含んだSIP（Session Initiation Protocol）メッセージに変換し、該変換したSIPメッセージを前記コアネットワーク側に送信する第１の送信手段と、
SMSに関する情報を含んだSIPメッセージを前記コアネットワーク側から受信した場合に、該受信したSIPメッセージに含まれるSMSに関する情報を前記UEが認識できるメッセージに変換し、該変換したSMSに関する情報を前記UEに送信する第２の送信手段と、
を有することを特徴とする。
【００１４】
本発明にかかる通信システムは、
UE（User Equipment）と、前記UEをコアネットワーク側に接続するフェムトセル用基地局と、を少なくとも有して構成する通信システムであって、
前記フェムトセル用基地局は、
SMS（Short Message Service）の到達可否を制御する際に使用するフラグのオン、オフを制御する制御手段を有することを特徴とする。
【００１５】
本発明にかかる通信システムは、
UE（User Equipment）と、前記UEをコアネットワーク側に接続するフェムトセル用基地局と、前記UEに配信するショートメッセージを管理するSMSC（Short Message Service Center）と、前記フェムトセル用基地局を介して前記UEに前記ショートメッセージを転送するゲートウェイシステムと、を有して構成する通信システムであって、
前記ゲートウェイシステムは、
SIP（Session Initiation Protocol）メッセージを受信した場合に、該受信したSIPメッセージが、SMSC宛に送信するものである場合は、前記SIPメッセージの内容を前記SMSC宛に転送し、該受信したSIPメッセージがSMSC宛以外に送信するものである場合は、前記SIPメッセージの内容を前記コアネットワーク側の装置宛に転送する転送手段を有することを特徴とする。
【００１６】
＜制御方法＞
本発明にかかる制御方法は、
UE（User Equipment）をコアネットワーク側に接続するフェムトセル用基地局で行う制御方法であって、
SMS（Short Message Service）に関する情報を前記UEから受信した場合に、該受信したSMSに関する情報を含んだSIP（Session Initiation Protocol）メッセージに変換し、該変換したSIPメッセージをコアネットワーク側に送信する第１の送信工程と、
SMSに関する情報を含んだSIPメッセージをコアネットワーク側から受信した場合に、該受信したSIPメッセージに含まれるSMSに関する情報を前記UEが認識できるメッセージに変換し、該変換したSMSに関する情報を前記UEに送信する第２の送信工程と、
を有することを特徴とする。
【００１７】
本発明にかかる制御方法は、
UE（User Equipment）をコアネットワーク側に接続するフェムトセル用基地局で行う制御方法であって、
SMS（Short Message Service）の到達可否を制御する際に使用するフラグのオン、オフを制御する制御工程を有することを特徴とする。
【００１８】
本発明にかかる制御方法は、
UE（User Equipment）をコアネットワーク側に接続するフェムトセル用基地局を介して前記UEにショートメッセージを転送するゲートウェイシステムで行う制御方法であって、
SIP（Session Initiation Protocol）メッセージを受信した場合に、該受信したSIPメッセージが、SMSC（Short Message Service Center）宛に送信するものである場合は、前記SIPメッセージの内容を前記SMSC宛に転送し、該受信したSIPメッセージがSMSC宛以外に送信するものである場合は、前記SIPメッセージの内容を前記コアネットワーク側の装置宛に転送する転送工程を有することを特徴とする。
【００１９】
本発明にかかる制御方法は、
ショートメッセージの配信を提供する機能を備えた通信システムに用いられるMAP（Mobile Application Part）ゲートウェイ装置で行う制御方法であって、
受信したメッセージにMS PresentまたはSMMA（Short Message Memory Available）の情報が含まれている場合に、前記MS Presentまたは前記SMMAの情報に応じたメッセージをHLR（Home Location Register）に送信する制御工程を有することを特徴とする。
【００２０】
＜プログラム＞
本発明にかかるプログラムは、
UE（User Equipment）をコアネットワーク側に接続するフェムトセル用基地局で実行させるプログラムであって、
SMS（Short Message Service）に関する情報を前記UEから受信した場合に、該受信したSMSに関する情報を含んだSIP（Session Initiation Protocol）メッセージに変換し、該変換したSIPメッセージをコアネットワーク側に送信する第１の送信処理と、
SMSに関する情報を含んだSIPメッセージをコアネットワーク側から受信した場合に、該受信したSIPメッセージに含まれるSMSに関する情報を前記UEが認識できるメッセージに変換し、該変換したSMSに関する情報を前記UEに送信する第２の送信処理と、
を、コンピュータに実行させることを特徴とする。
【００２１】
本発明にかかるプログラムは、
UE（User Equipment）をコアネットワーク側に接続するフェムトセル用基地局に実行させるプログラムであって、
SMS（Short Message Service）の到達可否を制御する際に使用するフラグのオン、オフを制御する制御処理を、コンピュータに実行させることを特徴とする。
【００２２】
本発明にかかるプログラムは、
UE（User Equipment）をコアネットワーク側に接続するフェムトセル用基地局を介して前記UEにショートメッセージを転送するショートメッセージゲートウェイ装置に実行させるプログラムであって、
SIP（Session Initiation Protocol）メッセージを受信した場合に、該受信したSIPメッセージが、SMSC（Short Message Service Center）宛に送信するものである場合は、前記SIPメッセージの内容を前記SMSC宛に転送し、該受信したSIPメッセージがSMSC宛以外に送信するものである場合は、前記SIPメッセージの内容を前記コアネットワーク側の装置宛に転送する転送処理を、コンピュータに実行させることを特徴とする。
【００２３】
本発明にかかるプログラムは、
ショートメッセージの配信を提供する機能を備えた通信システムに用いられるMAP（Mobile Application Part）ゲートウェイ装置に実行させるプログラムであって、
受信したメッセージにMS PresentまたはSMMA（Short Message Memory Available）の情報が含まれている場合に、前記MS Presentまたは前記SMMAの情報に応じたメッセージをHLR（Home Location Register）に送信する制御処理を、コンピュータに実行させることを特徴とする。
【発明の効果】
【００２４】
本発明によれば、フェムトセル用基地局を導入した通信システムにおいて、既存の3G網で提供しているShort Message Service（SMS）を実現することができる。
【図面の簡単な説明】
【００２５】
【図１】本実施形態の通信システムのシステム構成例を示す図である。
【図２】既存3G網（Macro網）で行うショートメッセージの配信制御の概要を示す図である（SMS-M0の処理動作例）。
【図３】既存3G網（Macro網）で行うショートメッセージの配信制御の概要を示す図である（配信報告の処理動作例）。
【図４】既存3G網（Macro網）で行うショートメッセージの配信制御の概要を示す図である（SMS-MTの処理動作例）。
【図５】既存3G網（Macro網）で行うショートメッセージの配信制御の概要を示す図である（UEの圏外等によるSMS−MT配信失敗時の処理動作例）。
【図６】既存3G網（Macro網）で行うショートメッセージの配信制御の概要を示す図である（UEのメモリ不足等によるSMS−MT配信失敗時の処理動作例）。
【図７】Femto IMS網で行うショートメッセージの配信制御の概要を示す図である（SMS-M0の処理動作例）。
【図８】Femto IMS網で行うショートメッセージの配信制御の概要を示す図である（配信報告の処理動作例）。
【図９】Femto IMS網で行うショートメッセージの配信制御の概要を示す図である（SMS-MTの処理動作例）。
【図１０】Femto IMS網で行うショートメッセージの配信制御の概要を示す図である（SMS-MT配信失敗時の処理動作例（Paging Response Time Out））。
【図１１】既存3G網で使用するERROR Codeの一例を示す図である。
【図１２】Femto IMS網で行うショートメッセージの配信制御の概要を示す図である（SMS-MT配信失敗時の処理動作（CP-ACK Time Out））。
【図１３】Femto IMS網で行うショートメッセージの配信制御の概要を示す図である（SMS-MT配信失敗時の処理動作（RP-ACK Time Out））。
【図１４】Femto IMS網で行うショートメッセージの配信制御の概要を示す図である（SMS-MT配信失敗時の処理動作（SIP-202 Accepted Time Out））。
【図１５】Femto IMS網で行うショートメッセージの配信制御の概要を示す図である（SMS-MT配信失敗時の処理動作（VLRなし））。
【図１６】Femto IMS網で行うショートメッセージの配信制御の概要を示す図である（SMS-MT配信失敗後に、FAPがUEの圏外復帰を検知した場合の処理動作例）。
【図１７】Femto IMS網で行うショートメッセージの配信制御の概要を示す図である（SMS-MT配信失敗後に、FAPがUEの圏外復帰を検知した場合の処理動作例）。
【図１８】Femto IMS網で行うショートメッセージの配信制御の概要を示す図である（Ready For SM（MS present）失敗ケース（エラー応答））。
【図１９】Femto IMS網で行うショートメッセージの配信制御の概要を示す図である（Ready For SM（MS present）失敗ケース（CN側無応答等））。
【図２０】Femto IMS網で行うショートメッセージの配信制御の概要を示す図である（SMS-MT配信失敗時 Memory Full）。
【図２１】Femto IMS網で行うショートメッセージの配信制御の概要を示す図である（SMS-MT配信失敗後（Memory Capacity Exceeded））。
【図２２】Femto IMS網で行うショートメッセージの配信制御の概要を示す図である（SMS-MT配信失敗後（Memory Capacity Exceeded））。
【図２３】Femto IMS網で行うショートメッセージの配信制御の概要を示す図である（Ready For SM（SMMA）失敗ケース（エラー応答））。
【図２４】Femto IMS網で行うショートメッセージの配信制御の概要を示す図である（Ready For SM（SMMA）失敗ケース（CN側無応答等））。
【図２５】FAPで生成するReady For SM用のメッセージの構成例を示す図である。
【図２６】本実施形態の通信システムの他のシステム構成例を示す図である。
【発明を実施するための形態】
【００２６】
＜通信システムのシステム構成例＞
まず、図１を参照しながら、本実施形態の通信システムのシステム構成例について説明する。
【００２７】
本実施形態の通信システムは、Macro網と、Femto IMS（IP Multimedia subsystem）網と、を有して構成する。
【００２８】
Macro網は、公知の既存3G網である。Macro網は、UE（User Equipment）と、Node-Bと、RNC（Radio Network Controller）と、MSC（Mobile Services Switching Centre）と、VLR（Visitor Location Register）と、SMSC（Short Message Service Center）と、HLR/AuC（Home Location Register/Authentication Centre）と、を有して構成する。
【００２９】
Macro網を構成するUE、Node-B、RNC、MSC、VLR、SMSC、HLR/AuCは、3GPPに準拠した処理を行う装置であるため、具体的な処理動作については割愛する。既存のMacro網（通信システム）に利用されている技術については、例えば3GPP TS 33.234 V8.0.0（2007-12）等に開示されている。また、Short Message Service（SMS）に関する技術については、例えば、3GPP TS 23.040 V8.0.0（2007-12）等に開示されている。
【００３０】
Femto IMS網は、FAP（Femto Access Point）と、PDG（Packet Data Gateway）と、AAA（Authentication Authorization Accounting）と、CSCF（Call Session Control Function）と、HSS（Home Subscriber Server)/MAP-GW（Mobile Application Part-Gateway）と、VLR（Visitor Location Register）と、IP-SM-GW（IP-Short Message-Gateway）と、を有して構成する。
【００３１】
FAPは、半径数十メートル程度の狭い通信エリアをカバーする小型無線基地局である。
【００３２】
PDGは、メッセージを中継する装置である。
【００３３】
CSCFは、IMS網において中心的なノードとなる装置であり、SIP（Session Initiation Protocol）を用いたセッション制御、管理、認証、ルーティング等の機能を行う。
【００３４】
AAAは、UEとネットワーク間の認証処理を行う装置である。
【００３５】
HSS/MAP-GWは、IMSで使用するUEの加入者情報を管理する装置である。また、HSS/MAP-GWは、MAP、Diameter、SCTP（Stream Control Transmission protocol）のプロトコルを用いた通信を行う。例えば、HLR/AuCと通信する場合には、MAPを用いた通信を行う。また、AAA、CSCFと通信する場合には、Diameterを用いた通信を行う。また、IP-SM-GWと通信する場合には、SCTPのプロトコルを用いた通信を行う。本実施形態のHSS/MAP-GWは、Diameter、SCTPなどのMAP以外のプロトコルによる回線とMAPのプロトコルによる回線とを接続させ、MAP以外のプロトコルによる信号とMAPのプロトコルによる信号とを相互に変換するMAP-GW（Mobile Application Part-Gateway）機能を備えて構成する（MAP-GW装置）。即ち、本実施形態のHSS/MAP-GWは、HSSがMAP-GW機能を内部に備えて構成している。
【００３６】
VLRは、UEの加入者情報を格納する装置である。HSS/MAP-GWは、UEの加入者情報をHLR/AuCから取得し、その取得したUEの加入者情報をVLRに格納して管理する。
【００３７】
IP-SM-GWは、Short Message Service（SMS）の制御を行う。IP-SM-GWは、SIP、MAP、SCTPのプロトコルを用いた通信を行う。例えば、CSCFと通信する場合には、SIPを用いた通信を行う。また、SMSCと通信する場合には、MAPを用いた通信を行う。また、HSS/MAP-GWと通信する場合には、SCTPを用いた通信を行う。本実施形態のIP-SM-GWは、FAPから送信されたSIPメッセージを受信した場合に、SIPメッセージのProtocol Discriminatorの値により、受信したSIPメッセージがSMS（Short Message Service）であるか、SMS以外（SS；Supplementary Service、CheckIMEI等）であるかを判別する。そして、Protocol Discriminatorの値がSMSである場合は、RP-Message TypeがSMMAであるかSMMA以外であるかを判別する。
【００３８】
IP-SM-GWは、Protocol Discriminatorの値がSMS以外である場合は、送信先をHSS/MAP-GWとする。また、Protocol Discriminatorの値がSMSであり、RP-Message TypeがSMMA以外である場合は、送信先をSMSCとする。また、Protocol Discriminatorの値がSMSであり、RP-Message TypeがSMMAである場合は、送信先をHSS/MAP-GWとする。
【００３９】
本実施形態のFemto IMS網を構築する通信システムでは、正規のユーザであるUEが例えば、FAP#2配下のLA（Location Area）内（図１に示すLA#2）に移動すると、FAP#2のWhite Listを通過し、コアネットワーク側に受け入れられ、UE、FAP#2、PDG、AAA、HSS/MAP-GW、HLR/AuCとの間でメッセージを送受信し、UEの認証処理を行う。そして、UEの認証が成功した場合に、UE、FAP#2、PDG、CSCF、HSS/MAP-GW、HLR/AuCとの間でメッセージを送受信し、CSCFは、UEの加入者情報（CS）をFAP#2の情報に対応付けて管理する。また、HSS/MAP-GWのVLRに管理されているUEの加入者情報（CS）をFAP#2の情報に対応付けて管理する。また、FAP#2にUEの加入者情報（CS）を登録して管理する。また、UEがPSサービスの位置登録を行うことで、上述したCSサービスの位置登録と同様な処理を行い、FAP#2は、UEの加入者情報（CS/PS）を管理することになる。
【００４０】
＜既存3G網（Macro網）で行うショートメッセージの配信制御＞
次に、図２〜図６を参照しながら、既存3G網（Macro網）で行うショートメッセージの配信制御の概要について説明する。図２は、SMS-MO（Short Message Service Mobile Originated）の処理動作例を示し、図３は、配信報告の処理動作例を示し、図４は、SMS-MT（Short Message Service Mobile Terminated）の処理動作例を示す。図５は、UEの圏外等によるSMS−MT配信失敗時の処理動作例を示し、図６は、UEのメモリ不足等によるSMS−MT配信失敗時の処理動作例を示す。
【００４１】
＜SMS-MOの処理動作＞
まず、図２を参照しながら、SMS-MOの処理動作例について説明する。SMS-MOは、UEからSMSCにショートメッセージの登録を行うサービスである。
【００４２】
UEは、CM Service Request(CM Service Type=SMS)をNode-B,RNCを経由してMSCに送信する（ステップA1)。
【００４３】
MSCは、CM Service Request(CM Service Type=SMS)を受信した場合に、UEとの間で認証・秘匿・IMEISV取得の処理を行い（ステップA2）、UEは、CP-DATA(RP-MO-DATA(SMS SUBMIT))をMSCに送信する（ステップA3）。
【００４４】
MSCは、CP-DATA(RP-MO-DATA(SMS SUBMIT))を受信した場合に、CP-ACKをUEに送信する（ステップA4）。また、MSCは、MAP-MO Forward Short Message(SC Address,MSIsdn,RP-UD(SMS SUBMIT))をSMSCに送信する（ステップA5）。
【００４５】
SMSCは、MAP-MO Forward Short Message(SC Address,MSIsdn,RP-UD(SMS SUBMIT))を受信した場合に、MAP-MO Forward Short Message Ack(RP-UD(SMS SUBMIT REPORT))をMSCに送信する（ステップA6）。
【００４６】
MSCは、MAP-MO Forward Short Message Ack(RP-UD(SMS SUBMIT REPORT))を受信した場合に、CP-DATA(RP-ACK(SMS SUBMIT REPORT))をUEに送信する（ステップA7）。
【００４７】
UEは、CP-DATA(RP-ACK(SMS SUBMIT REPORT))を受信した場合に、CP-ACKをMSCに送信する（ステップA8）。
【００４８】
このように、既存3G網で行うショートメッセージの送信制御では、UEは、MSCを経由してSMSCにショートメッセージの登録（SMS SUBMIT）を行い（ステップA1〜A5）、UEは、ショートメッセージの登録結果（SMS SUBMIT REPORT）をSMSCから受信することになる（ステップA6〜A8）。なお、SMSCは、UEから登録されたショートメッセージを配信した後に、そのショートメッセージの配信に関する成功/失敗の報告（配信報告）をUEに行うことになる。
【００４９】
＜配信報告の処理動作＞
次に、図３を参照しながら、配信報告の処理動作例について説明する。配信報告は、SMSCに登録されたショートメッセージの配信に関する成功/失敗の報告（配信報告）をUEに行うサービスである。
【００５０】
SMSCは、MAP-Send Routing Information For Short Message（MSISDN，SM-RP-PRI,SC Address）をHLR/AuCに送信する（ステップB1）。
【００５１】
HLR/AuCは、MAP-Send Routing Information For Short Message（MSISDN，SM-RP-PRI,SC Address）を受信した場合に、MAP-Send Routing Information For Short Message Ack（IMSI/LMSI,MSC）をSMSCに送信する（ステップB2）。
【００５２】
SMSCは、MAP-Send Routing Information For Short Message Ack（IMSI/LMSI,MSC）を受信した場合に、MAP-MT Forward Short Message（SC Address,IMSI/LMSI,RP-UD（SMS STATUS REPORT））をMSCに送信する（ステップB3）。
【００５３】
MSCは、MAP-MT Forward Short Message（SC Address,IMSI/LMSI,RP-UD（SMS STATUS REPORT））を受信した場合に、UEとの間でPaging・認証・秘匿・IMEISV取得の処理を行い（ステップB4）、CP-DATA(RP-MT-DATA(SMS STATUS REPORT))をUEに送信する（ステップB5）。
【００５４】
UEは、CP-DATA(RP-MT-DATA(SMS STATUS REPORT))を受信した場合に、CP-ACKをMSCに送信する（ステップB6）。
【００５５】
また、UEは、CP-DATA(RP-ACK(SMS DELIVER REPORT))をMSCに送信する（ステップB7）。
【００５６】
MSCは、CP-DATA(RP-ACK(SMS DELIVER REPORT))を受信した場合に、CP-ACKをUEに送信する（ステップB8）。また、MAP-MT Forward Short Message Ack(RP-UD(SMS DELIVER REPORT))をSMSCに送信する（ステップB9）。
【００５７】
このように、既存3G網で行うショートメッセージの送信制御では、SMSCは、MSCを経由してUEにショートメッセージの配信報告（SMS STATUS REPORT）を行い（ステップB1〜B6）、SMSCは、ショートメッセージの配信結果（SMS DELIVER REPORT）をUEから受信することになる（ステップB7〜B9）。
【００５８】
＜SMS-MTの処理動作＞
次に、図４を参照しながら、SMS-MTの処理動作例について説明する。SMS-MTは、SMSCからUEにショートメッセージの配信を行うサービスである。
【００５９】
SMSCは、MAP-Send Routing Information For Short Message（MSISDN，SM-RP-PRI,SC Address）をHLR/AuCに送信する（ステップC1）。
【００６０】
HLR/AuCは、MAP-Send Routing Information For Short Message（MSISDN，SM-RP-PRI,SC Address）を受信した場合に、MAP-Send Routing Information For Short Message Ack（IMSI/LMSI,MSC）をSMSCに送信する（ステップC2）。
【００６１】
SMSCは、MAP-Send Routing Information For Short Message Ack（IMSI/LMSI,MSC）を受信した場合に、MAP-MT Forward Short Message（SC Address,IMSI/LMSI,RP-UD（SMS DELIVER））をMSCに送信する（ステップC3）。
【００６２】
MSCは、MAP-MT Forward Short Message（SC Address,IMSI/LMSI,RP-UD（SMS DELIVER））を受信した場合に、UEとの間でPaging・認証・秘匿・IMEISV取得の処理を行い（ステップC4）、CP-DATA(RP-MT-DATA(SMS DELIVER))をUEに送信する（ステップC5）。
【００６３】
UEは、CP-DATA(RP-MT-DATA(SMS DELIVER))を受信した場合に、CP-ACKをMSCに送信する（ステップC6）。
【００６４】
また、UEは、CP-DATA(RP-ACK(SMS DELIVER REPORT))をMSCに送信する（ステップC7）。
【００６５】
MSCは、CP-DATA(RP-ACK(SMS DELIVER REPORT))を受信した場合に、CP-ACKをUEに送信する（ステップC8）。また、MAP-MT Forward Short Message Ack(RP-UD(SMS DELIVER REPORT))をSMSCに送信する（ステップC9）。
【００６６】
このように、既存3G網で行うショートメッセージの送信制御では、SMSCは、MSCを経由してUEにショートメッセージの配信（SMS DELIVER）を行い（ステップC1〜C6）、SMSCは、ショートメッセージの配信結果（SMS DELIVER REPORT）をUEから受信することになる（ステップC7〜C9）。
【００６７】
＜UEの圏外等によるSMS−MT配信失敗時の処理動作＞
次に、図５を参照しながら、UEの圏外等によるSMS−MT配信失敗時の処理動作例について説明する。
【００６８】
SMSCは、MAP-Send Routing Information For Short Message（MSISDN，SM-RP-PRI,SC Address）をHLR/AuCに送信する（ステップD1）。
【００６９】
HLR/AuCは、MAP-Send Routing Information For Short Message（MSISDN，SM-RP-PRI,SC Address）を受信した場合に、MAP-Send Routing Information For Short Message Ack（IMSI/LMSI,MSC）をSMSCに送信する（ステップD2）。
【００７０】
SMSCは、MAP-Send Routing Information For Short Message Ack（IMSI/LMSI,MSC）を受信した場合に、MAP-MT Forward Short Message（SC Address,IMSI/LMSI,RP-UD（SMS DELIVER））をMSCに送信する（ステップD3）。
【００７１】
MSCは、MAP-MT Forward Short Message（SC Address,IMSI/LMSI,RP-UD（SMS DELIVER））を受信した場合に、RNC、Node-Bを介してPagingをUEに送信する（ステップD4〜D6）。
【００７２】
MSCは、UEにPagingを送信してから所定時間が経過してもPaging Responseを受信できない場合に（Paging Response Time Out）、SMS-MT配信が失敗したと判断する（ステップD7）。この場合、MSCは、MNRF（Mobile-Station-Not-Reachable-Flag）をオンにセットし（ステップD8）、MAP-MT Forward Short Message Ack（User Error（Absent Subscriber)）をSMSCに送信する（ステップD9）。
【００７３】
SMSCは、MAP-MT Forward Short Message Ack（User Error（Absent Subscriber））を受信した場合に、MAP-REPORT SM DELIVERY STATUS（MSISDN,SC Address,SM Delivery Outcome（Absent Subscriber））をHLR/AuCに送信する（ステップD10）。
【００７４】
HLR/AuCは、MAP-REPORT SM DELIVERY STATUS（MSISDN,SC Address,SM Delivery Outcome（Absent Subscriber））を受信した場合に、MAP-REPORT SM DELIVERY STATUS AckをSMSCに送信する（ステップD11）。
【００７５】
また、HLR/AuCは、MWD（Messages-Waiting-Data）のMNRFをオンにセットする（ステップD12）。
【００７６】
その後、UEがLocation Update RequestをNode-Bに送信し（ステップD13）、MSCがUEの圏外復帰等を検知した場合に（ステップD14）、MAP-Ready For Short Message（IMSI,Alert Reason=MS present）をHLR/AuCに送信する（ステップD15）。
【００７７】
HLR/AuCは、MAP-Ready For Short Message（IMSI,Alert Reason=MS present）を受信した場合に、MAP-Ready For SM AckをMSCに送信する（ステップD16）。
【００７８】
MSCは、MAP-Ready For SM Ackを受信した場合に、ステップD8でオンにセットしたMNRFをオフにする（ステップD17）。
【００７９】
HLR/AuCは、MAP-Ready For Short Message（IMSI,Alert Reason=MS present）を受信した場合に、ステップD12でオンにセットしたMWD（Messages-Waiting-Data）のMNRFをオフにし（ステップS18）、MAP-Alert Service Center（MSISDN,SC Address）をSMSCに送信する（ステップD19）。
【００８０】
SMSCは、MAP-Alert Service Center（MSISDN,SC Address）を受信した場合に、MAP-Alert Service Center AckをHLR/AuCに送信する（ステップD20）。
【００８１】
また、SMSCは、MAP-Alert Service Center（MSISDN,SC Address）を受信した場合に、Short Messageの再送を開始し（ステップD21）、ステップD1〜ステップD6と同様な処理を行うことになる（ステップD22〜D27）。
【００８２】
このように、既存3G網で行うショートメッセージの送信制御では、UEの圏外等の原因でSMS-MT配信が失敗した場合は（ステップD7）、MSCのVLRや、HLRのMWDの配信不可フラグ（MNRF）をオンにセットする（ステップD8,D12）。そして、UEが圏外復帰した場合に（ステップD14）、MSCのVLRやHLRのMWDにオンにセットした配信不可フラグ（MNRF）をオフにし（ステップD17,D18）、UEへのショートメッセージの再送を開始することになる（ステップD21）。
【００８３】
＜UEのメモリ不足等によるSMS−MT配信失敗時の処理動作＞
次に、図６を参照しながら、UEのメモリ不足等によるSMS−MT配信失敗時の処理動作例について説明する。
【００８４】
SMSCは、MAP-Send Routing Information For Short Message（MSISDN，SM-RP-PRI,SC Address）をHLR/AuCに送信する（ステップE1）。
【００８５】
HLR/AuCは、MAP-Send Routing Information For Short Message（MSISDN，SM-RP-PRI,SC Address）を受信した場合に、MAP-Send Routing Information For Short Message Ack（IMSI/LMSI,MSC）をSMSCに送信する（ステップE2）。
【００８６】
SMSCは、MAP-Send Routing Information For Short Message Ack（IMSI/LMSI,MSC）を受信した場合に、MAP-MT Forward Short Message（SC Address,IMSI/LMSI,RP-UD(SMS DELIVER),More-Messages-to-Send=TRUE)）をMSCに送信する（ステップE3）。
【００８７】
MSCは、MAP-MT Forward Short Message（SC Address,IMSI/LMSI,RP-UD(SMS DELIVER),More-Messages-to-Send=TRUE)）を受信した場合に、CP-DATA（RP-MT-DATA(SMS DELIVER)）をUEに送信する（ステップE4）。
【００８８】
UEは、CP-DATA（RP-MT-DATA(SMS DELIVER)）を受信した場合に、CP-ACKをMSCに送信する（ステップE5）。
【００８９】
また、UEは、メモリ不足が発生した場合に、CP-DATA RP-ERROR（MS Memory Capacity Exceeded)）をMSCに送信する（ステップE6）。
【００９０】
MSCは、CP-DATA RP-ERROR（MS Memory Capacity Exceeded)）を受信した場合に、CP-ACKをUEに送信する（ステップE7）。
【００９１】
また、MSCは、CP-DATA RP-ERROR（MS Memory Capacity Exceeded)）を受信した場合に、MAP-MT Forward Short Message Ack（UserError（Memory Capacity Exceeded in the mobile equipment））をSMSCに送信する（ステップE8）。
【００９２】
SMSCは、MAP-MT Forward Short Message Ack（UserError（Memory Capacity Exceeded in the mobile equipment））を受信した場合に、MAP-REPORT SM DELIVERY STATUS（MSISDN,SC Address,SM Delivery Outcome（MS Memory Capacity Exceeded)）をHLR/AuCに送信する（ステップE9）。
【００９３】
HLR/AuCは、MAP-REPORT SM DELIVERY STATUS（MSISDN,SC Address,SM Delivery Outcome（MS Memory Capacity Exceeded)）を受信した場合に、MWD（Messages-Waiting-Data）のMCEF（Mobile-Station-Memory-Capacity-Exceeded-Flag）をオンにセットする（ステップE10）。
【００９４】
また、HLR/AuCは、MAP-REPORT SM DELIVERY STATUS AckをSMSCに送信する（ステップE11）。
【００９５】
その後、UEがCM Service Request（CM Service Type=SMS）をMSCに送信し（ステップE12）、UE、MSCとの間でPaging・認証・秘匿・IMEISV取得の処理を行う（ステップE13）。そして、UEは、メモリ不足が解消した場合に、CP-DATA（RP-SM MEMORY AVAILABLE）をMSCに送信する（ステップE14）。
【００９６】
MSCは、CP-DATA（RP-SM MEMORY AVAILABLE）を受信した場合に、CP-ACKをUEに送信する（ステップE15）。
【００９７】
また、MSCは、MAP-Ready For SM（IMSI,Alert Reason=Memory Available）をHLR/AuCに送信する（ステップE16）。
【００９８】
HLR/AuCは、MAP-Ready For SM（IMSI,Alert Reason=Memory Available）を受信した場合に、MAP-Ready For SM AckをMSCに送信する（ステップE17）。
【００９９】
MSCは、MAP-Ready For SM Ackを受信した場合に、CP-DATA（RP-ACK）をUEに送信する（ステップE18）。
【０１００】
UEは、CP-DATA（RP-ACK）を受信した場合に、CP-ACKをMSCに送信する（ステップE19）。
【０１０１】
また、HLR/AuCは、MAP-Ready For SM（IMSI,Alert Reason=Memory Available）を受信した場合に、ステップE10でオンにセットしたMWD（Messages-Waiting-Data）のMCEFをオフにし（ステップE20）、MAP-Alert Service Center（MSISDN,SC Address）をSMSCに送信する（ステップE21）。
【０１０２】
SMSCは、MAP-Alert Service Center（MSISDN,SC Address）を受信した場合に、MAP-Alert Service Center AckをHLR/AuCに送信する（ステップE22）。
【０１０３】
また、SMSCは、MAP-Alert Service Centerを受信した場合に、Short Messageの再送を開始することになる（ステップE23）。
【０１０４】
このように、既存3G網で行うショートメッセージの送信制御では、UEのメモリ不足等が原因でSMS-MT配信が失敗した場合は（ステップE6）、HLRのMWD（Messages-Waiting-Data）の配信不可フラグ（MCEF）をオンにセットする（ステップE10）。そして、UEのメモリ不足が解消した場合に（ステップE14）、HLRのMWDにオンにセットした配信不可フラグ（MCEF）をオフにし（ステップE20）、UEへのショートメッセージの再送を開始することになる（ステップE23）。
【０１０５】
なお、図２〜図６に示す上記処理は、既存3G網（Macro網）で行うショートメッセージの配信制御について説明した。もし、既存3G網で行うショートメッセージの配信制御をFemto IMS網で実現しようとした場合には、既存3G網を構築するシステム構成と、Femot IMS網を構築するシステム構成と、が異なるため、上述したショートメッセージの配信制御をFemot IMS網でそのまま使用することができない。
【０１０６】
このため、Femot IMS網を構築したシステムにおいて、上述した既存3Gで行うショートメッセージと同様な配信制御を実現するための仕組みを構築する必要がある。
【０１０７】
このようなことから、本発明者は、様々な改良を試み鋭意研究を重ねた結果、以下の方法を採用することを見出した。
【０１０８】
具体的には、UEとFAPとの間の通信は、上述したUEとMSCとの間で行う3GPPに準拠した通信を行い、FAPは、SMSに関する情報（3GPPに準拠した情報）をUEから受け付けた場合に、その受け付けたSMSに関する情報をSIPメッセージにマッピングし、そのマッピングしたSIPメッセージをIP-SM-GW宛に送信する。IP-SM-GWは、SIPメッセージを受信すると、Protocol DiscriminatorがSMSであり、RP-Message TypeがSMMA以外である場合は、送信先をSMSCとし、その受信したSIPメッセージをMAPメッセージにマッピングする。IP-SM-GWは、そのマッピングしたMAPメッセージをSMSCに送信し、UEから送信されたSMSに関する情報をSMSCまで流通させる。また、IP-SM-GWは、SMSに関する情報をSMSCから受け付けた場合に、その受け付けたSMSに関する情報をSIPメッセージにマッピングし、そのマッピングしたSIPメッセージをFAP宛に送信する。FAPは、SIPメッセージを受信すると、その受信したSIPメッセージを3GPPに準拠した情報に変換し、その変換したSMSに関する情報をUEに送信し、SMSCから送信されたSMSに関する情報をUEまで流通させる。
【０１０９】
また、IP-SM-GWは、SIPメッセージを受信すると、Protocol DiscriminatorがSMSであり、RP-Message TypeがSMMAである場合は、送信先をHSS/MAP-GWとし、その受信したSIPメッセージをSCTPメッセージにマッピングする。IP-SM-GWは、そのマッピングしたSCTPメッセージをHSS/MAP-GWに送信し、UEから送信されたSMSに関する情報をHSS/MAP-GWを介してHLR/AuCまで流通させる。また、IP-SM-GWは、HLR/AuCから送信されたSMSに関する情報をHSS/MAP-GWから受け付けた場合に、その受け付けたSMSに関する情報をSIPメッセージにマッピングし、そのマッピングしたSIPメッセージをFAP宛に送信する。FAPは、SIPメッセージを受信すると、その受信したSIPメッセージを3GPPに準拠した情報に変換し、その変換したSMSに関する情報をUEに送信し、HLR/AuCから送信されたSMSに関する情報をUEまで流通させる。
【０１１０】
また、UEの圏外状態を把握し易いFAPにMNRF（Mobile-Station-Not-Reachable-Flag）を設け、FAPは、ショートメッセージの配信時にUEの圏外を検知した場合に、MNRFをオンにセットし、SMS（Short Message Service）が到達不可であったことを示す状態に移行させる。そして、FAPは、UEが圏外復帰した場合に、MS Presentの情報をPDG→CSCF→IP-SM-GW→HSS/MAP-GWを介してHLR/AuCに通知し、FAPは、MS Presentの情報に対するACK（RP-ACK）をHLR/AuC→HSS/MAP-GW→IP-SM-GW→CSCF→PDGを介して受け付けた場合に、MNRFをオフにセットし、SMSが到達可能な状態に移行させる。また、HLR/AuCは、MS Presentの情報を受け付けた場合に、ショートメッセージの再送要求をSMSCに通知し、SMSCは、ショートメッセージの再送要求をHLR/AuCから受け付けた場合に、ショートメッセージの再送を開始し、IP-SM-GW→CSCF→PDG→FAPを介してUEにショートメッセージを配信する。
【０１１１】
また、FAPは、UEのメモリ不足が発生した旨の情報をUEから受け付けた場合に、その旨の情報をPDG→CSCF→IP-SM-GW→SMSCを介してHLR/AuCに通知し、HLR/AuCは、UEのメモリ不足が発生した旨の情報を受け付けた場合に、MWD（Messages-Waiting-Data）のMCEF（Mobile-Station-Memory-Capacity-Exceeded-Flag）をオンにセットする。そして、FAPは、UEのメモリ不足が解消した旨の情報をUEから受け付けた場合に、その旨の情報をPDG→CSCF→IP-SM-GW→HSS/MAP-GWを介してHLR/AuCに通知し、HLR/AuCは、UEのメモリ不足が解消した旨の情報を受け付けた場合に、MCEFをオフにセットする。そして、HLR/AuCは、ショートメッセージの再送要求をSMSCに通知し、SMSCは、ショートメッセージの再生要求をHLR/AuCから受け付けた場合に、IP-SM-GW→CSCF→PDG→FAPを介してUEにショートメッセージを配信する。なお、上述したMS Presentの情報の流通と、メモリ不足に関する情報の流通と、は各々別の処理動作として行われる。
【０１１２】
これにより、FAPを導入した図１に示す新たな通信システムの場合でも、既存3Gで行うショートメッセージと同様な配信制御を行うことが可能となる。以下、図を参照しながら、本実施形態のFemto IMS網で行うショートメッセージの配信制御について詳細に説明する。
【０１１３】
＜SMS-MOの処理動作＞
まず、図７を参照しながら、SMS-MOの処理動作例について説明する。SMS-MOは、UEからSMSCにショートメッセージの登録を行うサービスである。
【０１１４】
UEとFAPとの間で無線区間が確立した状態で（ステップF0）、UEがCP-DATA（RP-MO-DATA(SMS Submit)をFAPに送信し（ステップF1）、FAPは、UEから送信されたCP-DATA(RP-MO(SMS Submit)を受信した場合に、その受信した情報（SMS Submit）をSIPメッセージに変換し、その変換したSIPメッセージ（SIP-MESSAGE（SMS Submit））をIP-SM-GW宛でCSCFに送信する（ステップF2）。SIPメッセージには、図７に示すように、R-URI=IP-SM-GW URI、From=MSISDN(PublicUserID)、To=IP-SM-GW URI(PublicUserID)、RP-OA=NULL、RP-DA=SMSC Addr、TP-DA=MSISDNの情報が含まれることになる。また、FAPは、CP-ACKをUEに送信する（ステップF3）。
【０１１５】
CSCFは、SIP-MESSAGE（SMS Submit）を受信した場合に、その受信したSIP-MESSAGE（SMS Submit）をIP-SM-GWに送信する（ステップF4）。
【０１１６】
IP-SM-GWは、SIP-MESSAGE（SMS Submit）を受信した場合に、Protocol DiscriminatorがSMSであり、RP-Message TypeがSMMA以外であるため、SIM-MESSAGE（SMS Submit）をMAPメッセージにマッピングし、そのマッピングしたMAPメッセージ（MAP-MO Forward Short Message invocation（SMS Submit）;MAP-MO FW SM inv（SMS Submit））をSMSCに送信する（ステップF5）。
【０１１７】
SMSCは、MAP-MO FW SM inv（SMS Submit）を受信した場合に、MAP-MO FW SM Ack（SMS Submit Report）をIP-SM-GWに送信する（ステップF8）。
【０１１８】
IP-SM-GWは、MAP-MO FW SM Ack（SMS Submit Report）を受信した場合に、その受信した情報（SMS Submit Report）をSIPメッセージに変換し、その変換したSIPメッセージ（（SIP-MESSAGE（SMS Submit Report））をFAP宛でCSCFに送信する（ステップF9）。SIPメッセージには、図７に示すように、R-URI=sip:IP-Address(FemtoAP):5060、From=IP-SM-GW URI(PublicUserID)、To=MSISDN(PublicUserID)、RP-OA=No Field、RP-DA=No Field、TP-DA=No Fieldの情報が含まれることになる。
【０１１９】
CSCFは、SIP-MESSAGE（SMS Submit Report）を受信した場合に、その受信したSIP-MESSAGE（SMS Submit Report）をFAPに送信する（ステップF10）。
【０１２０】
FAPは、SIP-MESSAGE（SMS Submit Report）を受信した場合に、その受信した情報（SMS Submit Report）を3GPPに準拠した情報に変換し、その変換した情報（CP-DATA（RP-ACK（SMS Submit Report）））をUEに送信する（ステップF11）。
【０１２１】
UEは、CP-DATA（RP-ACK（SMS Submit Report））を受信した場合に、CP-ACKをFAPに送信し（ステップF14）、FAPは、CP-ACKを受信した場合に、UEとFAPとの間で確立していた無線区間を解放する（ステップF15）。
【０１２２】
このように、FAPは、UEと無線区間を確立した状態で、SMSに関する情報（SMS Submit）をUEから受信した場合に、その受信したSMSに関する情報をSIPメッセージにマッピングし、そのマッピングしたSIPメッセージをIP-SM-GW宛に送信する。IP-SM-GWは、SIPメッセージを受信し、その受信したSIPメッセージがSMSC宛であると判別した場合に、その受信したSIPメッセージをMAPメッセージにマッピングし、そのマッピングしたMAPメッセージをSMSCに送信する。これにより、UEから送信されたSMSに関する情報をSMSCまで流通させることが可能となる。このため、UEは、FAPを経由してSMSCにショートメッセージの登録（SMS Submit）を行うことが可能となる（ステップF1〜F5）。また、IP-SM-GWは、SMSに関する情報（SMS Submit Report）をSMSCから受け付けた場合に、その受け付けたSMSに関する情報をSIPメッセージにマッピングし、そのマッピングしたSIPメッセージをFAP宛に送信する。FAPは、SIPメッセージを受信すると、その受信したSIPメッセージを3GPPに準拠した情報に変換し、その変換したSMSに関する情報をUEに送信する。これにより、SMSCから送信されたSMSに関する情報をUEまで流通させることが可能となる。このため、UEは、ショートメッセージの登録結果(SMS Submit Report)をSMSCから受信することが可能となる（ステップF8〜F11）。なお、SMSCは、UEから登録されたショートメッセージを配信した後に、そのショートメッセージの配信に関する成功/失敗の報告（配信報告）をUEに行うことになる。
【０１２３】
＜配信報告の処理動作＞
次に、図８を参照しながら、配信報告の処理動作例について説明する。配信報告は、SMSCに登録されたショートメッセージの配信に関する成功/失敗の報告(配信報告)をUEに行うサービスである。
【０１２４】
SMSCは、MAP-Send Routing Information For Short Message（MAP-SRI SM）をHLR/AuCに送信し、HLR/AuCは、MAP-Send Routing Information For Short Message Ack（MAP-SRI SMAcK）をSMSCに送信する（ステップG0）。
【０１２５】
SMSCは、MAP-SRI SMAcKを受信した場合に、MAP-Message Type Forward Short Message invocation（SMS Status Report）;MAP-MTfwSM inv（SMS Status Report）をIP-SM-GWに送信する（ステップG1）。
【０１２６】
IP-SM-GWは、MAP-MTfwSM inv（SMS Status Report）を受信した場合に、その受信した情報（SMS Status Report）をSIPメッセージに変換し、その変換したSIPメッセージ（SIP-MESSAGE（SMS Status Report））をFAP宛でCSCFに送信する（ステップG2）。SIPメッセージには、図８に示すように、R-URI=sip:IP-Address(FemtoAP):5060、From=IP-SM-GW URI(PublicUserID)、To=IMSI(PublicUserID)、RP-OA=SMSC Addr、RP-DA=NULL、TP-OA=MSISDN、TP-DA=No Fieldの情報が含まれることになる。
【０１２７】
CSCFは、SIP-MESSAGE（SMS Status Report）を受信した場合に、そのSIP-MESSAGE（SMS Status Report）をFAPに送信する（ステップG3）。
【０１２８】
FAPは、SIP-MESSAGE（SMS Status Report）を受信した場合に、SIP-202 AcceptedをCSCFに送信する（ステップG4）。
【０１２９】
CSCFは、SIP-202 Acceptedを受信した場合に、SIP-202 AcceptedをIP-SM-GWに送信する（ステップG5）。
【０１３０】
また、FAPは、SIP-MESSAGE（SMS Status Report）を受信した場合に、Paging Response待ちタイマを設定し、PagingをUEに送信する（ステップG6）。
【０１３１】
UEは、Pagingを受信した場合に、Paging ResponseをFAPに送信し（ステップG7）、UEとFAPとの間で無線区間を確立する（ステップG8）。
【０１３２】
FAPは、無線区間が確立すると、SIP-MESSSAGEに含まれているSMSに関する情報（SMS Status Report）を3GPPに準拠した情報に変換し、その変換した情報（CP-DATA(RP-MT(SMS Status Report))をUEに送信する（ステップG9）。
【０１３３】
UEは、CP-DATA(RP-MT(SMS Status Report))を受信した場合に、CP-ACKをFAPに送信する（ステップG10）。
【０１３４】
UEは、CP-DATA(RP-ACK(SMS Deliver Report))をFAPに送信し（ステップG11）、FAPは、CP-DATA(RP-ACK(SMS Deliver Report))を受信した場合に、その受信した情報（SMS Deliver Report）をSIPメッセージに変換し、その変換したSIPメッセージ（SIP-MESSAGE（SMS Deliver Report））をIP-SM-GW宛でCSCFに送信する（ステップG12）。SIPメッセージには、図８に示すように、R-URI=IP-SM-GW URI、From=IMSI(PublicUserID)、To=IP-SM-GW URI(PublicUserID)、RP-OA=No Field、
RP-DA=No Field、TP-OA=No Field、TP-DA=No Fieldの情報が含まれることになる。
【０１３５】
また、FAPは、CP-ACKをUEに送信し（ステップG15）、UEとFAPとの間で確立した無線区間を開放する（ステップG16）。
【０１３６】
CSCFは、SIP-MESSAGE（SMS Deliver Report）を受信した場合に、その受信したSIP-MESSAGE（SMS Deliver Report）をIP-SM-GWに送信する（ステップG13）。
【０１３７】
IP-SM-GWは、SIP-MESSAGE（SMS Deliver Report）を受信した場合に、Protocol DiscriminatorがSMSであり、RP-Message TypeがSMMA以外であるため、SIM-MESSAGE（SMS Deliver Report）をMAPのメッセージにマッピングし、そのマッピングしたMAPメッセージ(MAP-MT Forward Short Message Ack（SMS Deliver Report）;MAP-MT FW SM Ack（SMS Deliver Report）)をSMSCに送信する（ステップG14）。
【０１３８】
また、IP-SM-GWは、SIP-202 OKをCSCFに送信する（ステップG17）。
【０１３９】
CSCFは、SIP-202 OKを受信した場合に、その受信したSIP-202 OKをFAPに送信する（ステップG18）。
【０１４０】
このように、IP-SM-GWは、SMSに関する情報（SMS Status Report）をSMSCから受け付けた場合に、その受け付けたSMSに関する情報をSIPメッセージにマッピングし、そのマッピングしたSIPメッセージをFAP宛に送信する。FAPは、SIPメッセージを受信すると、UEとの間で無線区間を確立し、コアネットワーク側から受信したSIPメッセージを3GPPに準拠した情報に変換し、その変換したSMSに関する情報をUEに送信する。これにより、SMSCから送信されたSMSに関する情報をUEまで流通させることが可能となる。このため、SMSCは、ショートメッセージの配信報告(SMS Status Report)をUEに送信することが可能となる（ステップG0〜G9）。また、FAPは、SMSに関する情報（SMS Deliver Report）をUEから受信した場合に、その受信したSMSに関する情報をSIPメッセージにマッピングし、そのマッピングしたSIPメッセージをIP-SM-GW宛に送信する。IP-SM-GWは、SIPメッセージを受信し、その受信したSIPメッセージがSMSC宛であると判別した場合に、その受信したSIPメッセージをMAPメッセージにマッピングし、そのマッピングしたMAPメッセージをSMSCに送信する。これにより、UEから送信されたSMSに関する情報をSMSCまで流通させることが可能となる。このため、SMSCは、ショートメッセージの配信結果（SMS Deliver Report）をUEから受信することが可能となる（ステップG11〜G14）。
【０１４１】
＜SMS-MTの処理動作＞
次に、図９を参照しながら、SMS-MTの処理動作例について説明する。SMS-MTは、SMSCからUEにショートメッセージの配信を行うサービスである。
【０１４２】
SMSCは、MAP-Send Routing Information For Short Message（MAP-SRI SM）をHLR/AuCに送信し、HLR/AuCは、MAP-Send Routing Information For Short Message Ack（MAP-SRI SMAcK）をSMSCに送信する（ステップH0）。
【０１４３】
SMSCは、MAP-SRI SMAcKを受信した場合に、MAP-Message Type Forward Short Message invocation（SMS Deliver）;MAP-MTfwSM inv（SMS Deliver）をIP-SM-GWに送信する（ステップH1）。
【０１４４】
IP-SM-GWは、MAP-MTfwSM inv（SMS Deliver）を受信した場合に、その受信した情報（SMS Deliver）をSIPメッセージに変換し、その変換したSIPメッセージ（SIP-MESSAGE（SMS Deliver））をFAP宛でCSCFに送信する（ステップH2）。SIPメッセージには、図９に示すように、R-URI=sip:IP-Address(FemtoAP):5060、From=IP-SM-GW URI(PublicUserID)、To=IMSI(PublicUserID)、RP-OA=SMSC Addr、
RP-DA=NULL、TP-OA=MSISDN、TP-DA=No Fieldの情報が含まれることになる。
【０１４５】
CSCFは、SIP-MESSAGE（SMS Deliver）を受信した場合に、そのSIP-MESSAGE（SMS Deliver）をFAPに送信する（ステップH3）。
【０１４６】
FAPは、SIP-MESSAGE（SMS Deliver）を受信した場合に、SIP-202 AcceptedをCSCFに送信する（ステップH4）。
【０１４７】
CSCFは、SIP-202 Acceptedを受信した場合に、SIP-202 AcceptedをIP-SM-GWに送信する（ステップH5）。
【０１４８】
また、FAPは、SIP-MESSAGE（SMS Deliver）を受信した場合に、Paging Response待ちタイマを設定し、PagingをUEに送信する（ステップH6）。
【０１４９】
UEは、Pagingを受信した場合に、Paging ResponseをFAPに送信し（ステップH7）、UEとFAPとの間で無線区間を確立する（ステップH8）。
【０１５０】
FAPは、無線区間が確立すると、SIP-MESSSAGEに含まれているSMSに関する情報（SMS Deliver）を3GPPに準拠した情報に変換し、その変換した情報(CP-DATA(RP-MT(SMS Deliver)))をUEに送信する（ステップH9）。
【０１５１】
UEは、CP-DATA(RP-MT(SMS Deliver))を受信した場合に、CP-ACKをFAPに送信する（ステップH10）。
【０１５２】
なお、ステップH11〜ステップH18の処理動作は、上述したステップG11〜ステップG18と同様な処理を行うことになる。
【０１５３】
このように、IP-SM-GWは、SMSに関する情報（SMS Deliver）をSMSCから受け付けた場合に、その受け付けたSMSに関する情報をSIPメッセージにマッピングし、そのマッピングしたSIPメッセージをFAP宛に送信する。FAPは、SIPメッセージを受信すると、UEとの間で無線区間を確立し、コアネットワーク側から受信したSIPメッセージを3GPPに準拠した情報に変換し、その変換したSMSに関する情報をUEに送信する。これにより、SMSCから送信されたSMSに関する情報をUEまで流通させることが可能となる。このため、SMSCは、ショートメッセージ（SMS Deliver）をUEに配信することが可能となる（ステップH0〜H9）。また、FAPは、SMSに関する情報（SMS Deliver Report）をUEから受信した場合に、その受信したSMSに関する情報をSIPメッセージにマッピングし、そのマッピングしたSIPメッセージをIP-SM-GW宛に送信する。IP-SM-GWは、SIPメッセージを受信し、その受信したSIPメッセージがSMSC宛であると判別した場合に、その受信したSIPメッセージをMAPメッセージにマッピングし、そのマッピングしたMAPメッセージをSMSCに送信する。これにより、UEから送信されたSMSに関する情報をSMSCまで流通させることが可能となる。このため、SMSCは、ショートメッセージの配信結果（SMS Deliver Report）をUEから受信することが可能となる（ステップH11〜H14）。
【０１５４】
＜SMS-MT配信失敗時 Case1：UE圏外（Paging Response Time Out）＞
次に、図１０を参照しながら、SMS-MT配信失敗時の処理動作（Paging Response Time Out）について説明する。
【０１５５】
SMSCは、MAP-Send Routing Information For Short Message（MAP-SRI SM）をHLR/AuCに送信し、HLR/AuCは、MAP-Send Routing Information For Short Message Ack（MAP-SRI SMAcK）をSMSCに送信する（ステップA0）。
【０１５６】
SMSCは、MAP-SRI SMAcKを受信した場合に、MAP-Message Type Forward Short Message invocation（SMS Deliver）;MAP-MTfwSM inv（SMS Deliver）をIP-SM-GWに送信する（ステップI1）。
【０１５７】
IP-SM-GWは、MAP-MTfwSM inv（SMS Deliver）を受信した場合に、SIP-MESSAGE（SMS Deliver）をCSCFに送信する（ステップI2）。
【０１５８】
CSCFは、SIP-MESSAGE（SMS Deliver）を受信した場合に、SIP-MESSAGE（SMS Deliver）をFAPに送信する（ステップI3）。
【０１５９】
FAPは、SIP-MESSAGE（SMS Deliver）を受信した場合に、SIP-202 AcceptedをCSCFに送信する（ステップI4）。
【０１６０】
CSCFは、SIP-202 Acceptedを受信した場合に、SIP-202 AcceptedをIP-SM-GWに送信する（ステップI5）。
【０１６１】
また、FAPは、SIP-MESSAGE（SMS Deliver）を受信した場合に、Paging Response待ちタイマを設定し、PagingをUEに送信する（ステップI6）。
【０１６２】
UEは、Pagingを受信した場合に、Paging ResponseをFAPに送信する（ステップI7）。
【０１６３】
FAPは、PagingをUEに送信してから所定時間が経過してもPaging ResponseをUEから受信できない場合に（Paging Response Time Out）、SMS-MT配信が失敗したと判断する。この場合、FAPは、MNRF（Mobile-Station-Not-Reachable-Flag）をオンにセットする（ステップI8）。
【０１６４】
また、IP-SM-GWは、SIP-202 Acceptedを受信してから所定時間が経過してもSIP-MESSAGEをCSCFから受信できない場合に（RP-ACK Time Out）、SMS-MT配信が失敗したと判断する。この場合、IP-SM-GWは、MAP-ERRORをSMSCに送信する（ステップI9）。この場合、IP-SM-GWは、MAP ERROR Codeとして#6（absent Subscriber SM)-0（no paging response via the MSC）を使用する。MAP ERROR Codeは、既存3G網で使用するERROR Codeをそのまま使用する。既存3G網で使用するERROR Codeの一例を図１１に示す。図１１に示すERROR Codeは公知であるため、具体的な説明は割愛する。
【０１６５】
SMSCは、MAP-ERROR（#6-0）を受信した場合に、MAP-REPORT SM DELIVERY STATUS（MAP-R SM DELIVERY STATUS）をHLR/AuCに送信し、HLR/AuCは、MAP-REPORT SM DELIVERY STATUS Ack（MAP-R SM DELIVERY STATUS Ack）をSMSCに送信する（ステップI10）。また、HLR/AuCは、MWD（Messages-Waiting-Data）のMNRFをオンにセットする（ステップI11）。
【０１６６】
＜SMS-MT配信失敗時 Case2：CP-ACK Time Out＞
次に、図１２を参照しながら、SMS-MT配信失敗時の処理動作（CP-ACK Time Out）について説明する。
【０１６７】
FAPは、PagingをUEに送信した後に（ステップJ6）、Paging ResponseをUEから受信した場合に（ステップJ7）、UEとの間でMM（Mobility Management） connectionを確立する（ステップJ8）。
【０１６８】
次に、FAPは、CP-ACK待ちタイマを設定し、CP-DATA（RP-MT）をUEに送信する（ステップJ9）。
【０１６９】
UEは、CP-DATA（RP-MT）を受信した場合に、CP-ACKをFAPに送信する（ステップJ10）。
【０１７０】
FAPは、CP-DATA（RP-MT）を送信してから所定時間が経過してもCP-ACKを受信できない場合に（CP-ACK Time Out）、SMS-MT配信が失敗したと判断する。この場合、FAPは、MNRF（Mobile-Station-Not-Reachable-Flag）をオンにセットする（ステップJ11）。
【０１７１】
また、IP-SM-GWは、SIP-202 Acceptedを受信してから所定時間が経過してもSIP-MESSAGEをCSCFから受信できない場合に（RP-ACK Time Out）、SMS-MT配信が失敗したと判断する。この場合、IP-SM-GWは、MAP-ERROR（#6-0）をSMSCに送信する（ステップJ12）。
【０１７２】
SMSCは、MAP-ERROR（#6-0）を受信した場合に、MAP-REPORT SM DELIVERY STATUS（MAP-R SM DELIVERY STATUS）をHLR/AuCに送信し、HLR/AuCは、MAP-REPORT SM DELIVERY STATUS Ack（MAP-R SM DELIVERY STATUS Ack）をSMSCに送信する（ステップJ13）。また、HLR/AuCは、MWD（Messages-Waiting-Data）のMNRFをオンにセットする（ステップJ14）。
【０１７３】
＜SMS-MT配信失敗時 Case3：RP-ACK Time Out＞
次に、図１３を参照しながら、SMS-MT配信失敗時の処理動作（RP-ACK Time Out）について説明する。
【０１７４】
FAPは、CP-ACKを受信した場合に（ステップK10）、CP-DATA（RP-ACK）待ちタイマを設定する。FAPは、CP-ACKを受信してから所定時間が経過してもCP-DATA（RP-ACK）を受信できない場合に（RP-ACK Time Out）、SMS-MT配信が失敗したと判断する。この場合、FAPは、MNRF（Mobile-Station-Not-Reachable-Flag）をオンにセットする（ステップK12）。
【０１７５】
また、IP-SM-GWは、SIP-202 Acceptedを受信してから所定時間が経過してもSIP-MESSAGEをCSCFから受信できない場合に（RP-ACK Time Out）、SMS-MT配信が失敗したと判断する。この場合、IP-SM-GWは、MAP-ERROR（#6-0）をSMSCに送信する（ステップK13）。
【０１７６】
SMSCは、MAP-ERROR（#6-0）を受信した場合に、MAP-REPORT SM DELIVERY STATUS（MAP-R SM DELIVERY STATUS）をHLR/AuCに送信し、HLR/AuCは、MAP-REPORT SM DELIVERY STATUS Ack（MAP-R SM DELIVERY STATUS Ack）をSMSCに送信する（ステップK14）。また、HLR/AuCは、MWD（Messages-Waiting-Data）のMNRFをオンにセットする（ステップK15）。
【０１７７】
＜SMS-MT配信失敗時 Case4：SIP-202 Accepted Time Out＞
次に、図１４を参照しながら、SMS-MT配信失敗時の処理動作（SIP-202 Accepted Time Out）について説明する。
【０１７８】
IP-SM-GWは、MAP-MTfwSM inv（SMS Deliver）を受信した場合に、SIP-202 Accepted待ちタイマを設定し、SIP-MESSAGE（SMS Deliver）をCSCFに送信する（ステップL2）。
【０１７９】
IP-SM-GWは、SIP-MESSAGE（SMS Deliver）をCSCFに送信してから所定時間が経過してもSIP-202 Acceptedを受信できない場合に（SIP-202 Accepted Time Out）、FAPやCSCFにおいて障害が発生したと判断する。この場合、IP-SM-GWは、MAP-ERRORをSMSCに送信する（ステップL5）。この場合、IP-SM-GWは、MAP ERROR Codeとして#32（SM deliver Failure）-1（equipment Protocol Error）を使用する。
【０１８０】
SMSCは、MAP-ERROR（#32-1）を受信した場合に、MAP-REPORT SM DELIVERY STATUS（MAP-R SM DELIVERY STATUS）をHLR/AuCに送信し、HLR/AuCは、MAP-REPORT SM DELIVERY STATUS Ack（MAP-R SM DELIVERY STATUS Ack）をSMSCに送信する（ステップL6）。この場合、HLR/AuCは、MWD（Messages-Waiting-Data）のMNRFをオンにセットしない。
【０１８１】
＜SMS-MT配信失敗時 Case5：VLRなし＞
次に、図１５を参照しながら、SMS-MT配信失敗時の処理動作（VLRなし）について説明する。
【０１８２】
IP-SM-GWは、SIP-MESSAGE（deliver）をCSCFに送信し（ステップM2）、CSCFは、SIP-MESSAGE（deliver）を受信する。
【０１８３】
CSCFは、SIP-MESSAGE（SMS Deliver）を受信した場合に、そのSIP-MESSAGE（SMS Deliver）をFAPに送信できない場合に、SIP-404 Not FoundをIP-SM-GWに送信する（ステップM3）。
【０１８４】
IP-SM-GWは、SIP-404 Not FoundをCSCFから受信した場合に、MAP-ERRORをSMSCに送信する（ステップM4）。この場合、IP-SM-GWは、MAP ERROR Codeとして#5（unidentified Subscriber）を使用する。
【０１８５】
SMSCは、MAP-ERROR（#5）を受信した場合に、MAP-REPORT SM DELIVERY STATUS（MAP-R SM DELIVERY STATUS）をHLR/AuCに送信し、HLR/AuCは、MAP-REPORT SM DELIVERY STATUS Ack（MAP-R SM DELIVERY STATUS Ack）をSMSCに送信する（ステップM5）。この場合、HLR/AuCは、MWD（Messages-Waiting-Data）のMNRFをオンにセットしない。
【０１８６】
＜SMS-MT配信失敗後（UEの圏外等）に、FAPがUEの圏外復帰を検知した場合の処理動作＞
次に、図１６を参照しながら、SMS-MT配信失敗後に、FAPがUEの圏外復帰を検知した場合の処理動作について説明する。
【０１８７】
FAPは、MNRFをオンにセットした後に（ステップN1）、UEの圏外復帰等を検知した場合に（ステップN2）、SIP-MESSAGE（SMMA）（RP-MT/RP-MR/Reason）をCSCFに送信する（ステップN3）。
【０１８８】
この場合、FAPは、SIP-URIのPPI（P-Preferred-Identity）にIMSIを付与する。また、SIPのBody部にReason（MS Present）を付与する。SIPのBody部の構成例を図１７に示す。図１７では、SIPのBody部にRP-MessageType（6:RP-SMMA）、RP-MessageReference、AlertReason（1:MSpresent）を付与している。
【０１８９】
CSCFは、SIP-MESSAGE（SMMA）（RP-MT/RP-MR/Reason）を受信した場合に、その受信したSIP-MESSAGE（SMMA）（RP-MT/RP-MR/Reason）をIP-SM-GWに送信する（ステップN4）。
【０１９０】
IP-SM-GWは、SIP-MESSAGE（SMMA）（RP-MT/RP-MR/Reason）を受信した場合に、SIP-202 AcceptedをCSCFに送信する（ステップN5）。
【０１９１】
CSCFは、SIP-202 Acceptedを受信した場合に、SIP-202 AcceptedをFAPに送信する（ステップN6）。
【０１９２】
また、IP-SM-GWは、SIP-MESSAGE（SMMA）（RP-MT/RP-MR/Reason）を受信した場合に、Protocol DiscriminatorがSMSであり、RP-Message TypeがSMMAであるため、SIP-MESSAGE（SMMA）（RP-MT/RP-MR/Reason）をSCTPメッセージにマッピングし、そのマッピングしたSCTPメッセージ(Primitive invocation（IMSI/Reason=MSpresent）)をHSS/MAP-GWに送信する（ステップN7）。
【０１９３】
HSS/MAP-GWは、Primitive invocation（IMSI/Reason=MSpresent）を受信した場合に、その受信した情報をMAP-GW機能を用いてMAPメッセージにマッピングし、そのマッピングしたMAPメッセージ（MAP-ReadyForSM（MSpresent））をHLR/AuCに送信する（ステップN8）。
【０１９４】
HLR/AuCは、MAP-ReadyForSM（MSpresent）を受信した場合に、MAP-ReadyForSM AckをHSS/MAP-GWに送信する（ステップN9）。
【０１９５】
HSS/MAP-GWは、MAP-ReadyForSM Ackを受信した場合に、その受信した情報をMAP-GW機能を用いてSCTPメッセージにマッピングし、そのマッピングしたSCTPメッセージ（Primitive Ack（Cause=OK））をIP-SM-GWに送信する（ステップN10）。
【０１９６】
IP-SM-GWは、Primitive Ack（Cause=OK）を受信した場合に、その受信した情報（Primitive Ack（Cause=OK））をSIPメッセージに変換し、その変換したSIPメッセージ（SIP-MESSAGE（RP-ACK）（RP-MT/RP-MR））をFAP宛でCSCFに送信する（ステップN11）。
【０１９７】
この場合、IP-SM-GWは、図１７に示すように、SIPのBody部に、RP-MessageType (3:RP-ACK)、RP-MessageReferenceを付与し、その付与したSIP-MESSAGE（RP-ACK）（RP-MT/RP-MR）をCSCFに送信する。
【０１９８】
CSCFは、SIP-MESSAGE（RP-ACK）（RP-MT/RP-MR）を受信した場合に、その受信したSIP-MESSAGE（RP-ACK）（RP-MT/RP-MR）をFAPに送信する（ステップN12）。
【０１９９】
FAPは、SIP-MESSAGE（RP-ACK）（RP-MT/RP-MR）を受信した場合に、SIP-200 OKをCSCFに送信する（ステップN13）。また、FAPは、MNRFをオフにする（ステップN14）。
【０２００】
CSCFは、SIP-200 OKを受信した場合に、SIP-200 OKをIP-SM-GWに送信する（ステップN15）。
【０２０１】
また、HLR/AuCは、MAP-ReadyForSM（MSpresent）を受信した場合に、MNRFをオフにセットし（ステップN16）、MAP-Alert SCをSMSCに送信する（ステップN17）。
【０２０２】
SMSCは、MAP-AlertSCを受信した場合に、MAP-Alert SC AckをHLR/AuCに送信する（ステップN18）。また、SMSCは、MAP-MTfwSM inv（SMS Deliver）をIP-SM-GWに送信し（ステップN19）、ショートメッセージの再送を開始する。
【０２０３】
＜Ready For SM（MS present）失敗ケース（エラー応答）＞
次に、図１８を参照しながら、Ready For SM（MS present）失敗ケース（エラー応答）の場合の処理動作について説明する。
【０２０４】
HLR/AuCは、Ready For SM（MSpresent）が失敗した場合に、MAP-ReadyForSM ErrorをHSS/MAP-GWに送信する（ステップO9）。
【０２０５】
HSS/MAP-GWは、MAP-ReadyForSM Errorを受信した場合に、その受信した情報をMAP-GW機能を用いてSCTPメッセージにマッピングし、そのマッピングしたSCTPメッセージ（Primitive Ack（Cause=ERROR））をIP-SM-GWに送信する（ステップO10）。
【０２０６】
IP-SM-GWは、Primitive Ack（Cause=ERROR）を受信した場合に、その受信した情報（Primitive Ack（Cause=ERROR））をSIPメッセージに変換し、その変換したSIPメッセージ（SIP-MESSAGE（RP-ERROR）(RP-MT/RP-MR/RP-CS)をFAP宛でCSCFに送信する（ステップO11）。Primitive Ackに含まれるCauseの内容がERRORであるため、IP-SM-GWは、そのCauseの内容をRP-CSにマッピングし、そのRP-CSを含めたSIP-MESSAGEをCSCFに送信する。
【０２０７】
CSCFは、SIP-MESSAGE（RP-ERROR）(RP-MT/RP-MR/RP-CS)を受信した場合に、その受信したSIP-MESSAGE（RP-ERROR）(RP-MT/RP-MR/RP-CS)をFAPに送信する（ステップO12）。
【０２０８】
FAPは、SIP-MESSAGE（RP-ERROR）(RP-MT/RP-MR/RP-CS)を受信した場合に、SIP-200 OKをCSCFに送信する（ステップO13）。SIP-MESSAGEには、RP-ERRORの情報が含まれているため、FAPは、MNRFをオンにセットしたままの状態にする（ステップO14）。
【０２０９】
CSCFは、SIP-200 OKを受信した場合に、SIP-200 OKをIP-SM-GWに送信する（ステップO15）。
【０２１０】
また、HLR/AuCは、Ready For SM（MSpresent）が失敗した場合に、MNRFをオンにセットしたままの状態にする（ステップO16）。
【０２１１】
＜Ready For SM（MS present）失敗ケース（CN側無応答等）＞
次に、図１９を参照しながら、Ready For SM（MS present）失敗ケース（CN側無応答等）の場合の処理動作について説明する。
【０２１２】
IP-SM-GWは、Primitive invocation（IMSI/Reason=MSpresent）をHSS/MAP-GWに送信してから所定時間が経過してもPrimitive AckをHSS/MAP-GWから受信できない場合は（Ack待ちTime Out）、SIP-MESSAGEをCSCFに送信しない（ステップP11）。Ack待ちTime Outになる要因としては、例えば、IP-SM-GWがPrimitive Ackを受信できない場合や、HSS/MAP-GWがMAP-ReadyForSM Ackを受信できない場合等が挙げられる。
【０２１３】
この場合、FAPは、SIP-200 Acceptedを受信してから所定時間が経過してもSIP-MESSAGEをCSCFから受信できないため（RP-ACK Time Out）、MNRFをオンにセットしたままの状態にする（ステップP12）。また、FAPは、RRC（Radio Resource Control）の解放処理を行うことになる（ステップP13）。
【０２１４】
なお、FAPは、SIP-MESSAGE（SMMA）(RP-MT/RP-MR)を送信してから所定時間が経過してもSIP-202 Acceptedを受信できない場合も同様に、MNRFをオンにセットしたままの状態にする（ステップP12）。
【０２１５】
＜SMS-MT配信失敗時 Memory Full＞
次に、図２０を参照しながら、SMS-MT配信失敗時 Memory Fullの場合の処理動作について説明する。
【０２１６】
UEは、メモリ不足が発生した場合に、CP-DATA（RP-ERROR）(CV #22)をFAPに送信する（ステップQ11）。
【０２１７】
FAPは、CP-DATA（RP-ERROR）(CV #22)を受信した場合に、その受信した情報（CP-DATA（RP-ERROR）(CV #22)）をSIPメッセージに変換し、その変換したSIPメッセージ（SIP-MESSAGE（SMS Deliver Report））をIP-SM-GW宛でCSCFに送信する（ステップQ12）。
【０２１８】
CSCFは、SIP-MESSAGE（SMS Deliver Report）を受信した場合に、その受信したSIP-MESSAGE（SMS Deliver Report）をIP-SM-GWに送信する（ステップQ13）。
【０２１９】
IP-SM-GWは、SIP-MESSAGE（SMS Deliver Report）を受信した場合に、Protocol DiscriminatorがSMSであり、RP-Message TypeがSMMA以外であるため、SIM-MESSAGE（SMS Deliver Report）をMAPメッセージにマッピングし、そのマッピングしたMAPメッセージ（MAP-ERROR（#32-0））をSMSCに送信する（ステップQ14）。
【０２２０】
SMSCは、MAP-ERROR（#32-0）を受信した場合に、MAP-ERROR Memory ExceededをHLR/AuCに送信する（ステップQ15）。
【０２２１】
HLR/AuCは、MAP-ERROR Memory Exceededを受信した場合に、MCEFをオンにセットする（ステップQ16）。
【０２２２】
IP-SM-GWは、SIP-MESSAGE（SMS Deliver Report）を受信した場合に、SIP-200 OKをCSCFに送信する（ステップQ17）。
【０２２３】
CSCFは、SIP-200 OKを受信した場合に、SIP-200 OKをFAPに送信する（ステップQ18）。
【０２２４】
FAPは、SIP-200 OKを受信した場合に、CP-ACKをUEに送信する（ステップQ19）。
【０２２５】
＜SMS-MT配信失敗後（Memory Capacity Exceeded）に、FAPがRP-SMMAを受信した場合の処理動作＞
次に、図２１を参照しながら、SMS-MT配信失敗後（Memory Capacity Exceeded）に、FAPがRP-SMMAを受信した場合の処理動作について説明する。
【０２２６】
UEがCM Service RequestをFAPに送信し（ステップR1）、UE、FAPとの間でMM connection処理を行う（ステップR2）。そして、UEは、メモリ不足が解消した場合に、CP DATA（RP-SM MEMORY AVAILABLE）をFAPに送信する（ステップR3）。
【０２２７】
CP DATA（RP-SM MEMORY AVAILABLE）には、図２２に示すように、Protocol Discriminator（9:SMS-Message）、Message Type（1:CP-DATA,4:CP-ACK）、CP-UserData、RP-MessageType（6:RP-SMMA）、RP-MessageReference等を含めて構成する。
【０２２８】
FAPは、CP DATA（RP-SMMA）を受信した場合に、その受信した情報（CP DATA（RP-SMMA））をSIPメッセージに変換し、その変換したSIPメッセージ（SIP-MESSAGE（SMMA）(RP-MT/RP-MR)）をIP-SM-GW宛でCSCFに送信する（ステップR4）。また、CP-ACKをUEに送信する（ステップR5）。
【０２２９】
SIPのBody部には、図２２に示すように、RP-MessageType（6:RP-SMMA)、RP-MessageReference等を含めて構成する。
【０２３０】
CSCFは、SIP-MESSAGE（SMMA）(RP-MT/RP-MR)を受信した場合に、その受信したSIP-MESSAGE（SMMA）(RP-MT/RP-MR)をIP-SM-GWに送信する（ステップR6）。
【０２３１】
IP-SM-GWは、SIP-MESSAGE（SMMA）(RP-MT/RP-MR)を受信した場合に、SIP-200 AcceptedをCSCFに送信する（ステップR7）。
【０２３２】
CSCFは、SIP-200 Acceptedを受信した場合に、SIP-200 AcceptedをFAPに送信する（ステップR8）。
【０２３３】
また、IP-SM-GWは、SIP-MESSAGE（SMMA）(RP-MT/RP-MR)を受信した場合に、Protocol DiscriminatorがSMSであり、RP-Message TypeがSMMAであるため、SIP-MESSAGE（SMMA）(RP-MT/RP-MR)をSCTPメッセージにマッピングし、そのマッピングしたSCTPメッセージ（Primitive invocation（IMSI/Reason=SMMA）をHSS/MAP-GWに送信する（ステップR9）。
【０２３４】
HSS/MAP-GWは、Primitive invocation（IMSI/Reason=SMMA）を受信した場合に、その受信した情報をMAP-GW機能を用いてMAPメッセージにマッピングし、そのマッピングしたMAPメッセージ（MAP-ReadyForSM（Memory Available）をHLR/AuCに送信する（ステップR10）。
【０２３５】
HLR/AuCは、MAP-ReadyForSM（Memory Available）を受信した場合に、MAP-ReadyForSM AcKをHSS/MAP-GWに送信する（ステップR11）。
【０２３６】
HSS/MAP-GWは、MAP-ReadyForSM AcKを受信した場合に、その受信した情報をMAP-GW機能を用いてSCTPメッセージにマッピングし、そのマッピングしたSCTPメッセージ（Primitive Ack（Cause=OK）をIP-SM-GWに送信する（ステップR12）。
【０２３７】
IP-SM-GWは、Primitive Ack（Cause=OK）を受信した場合に、その受信した情報（Primitive Ack（Cause=OK））をSIPメッセージに変換し、その変換したSIPメッセージ（SIP-MESSAGE（RP-ACK）（RP-MT/RP-MR）をFAP宛でCSCFに送信する（ステップR13）。
【０２３８】
SIP-MESSAGEのBody部には、図２２に示すように、RP-MessageType(3:RP-ACK)、RP-MessageReference等を含めて構成する。
【０２３９】
CSCFは、SIP-MESSAGE（RP-ACK）（RP-MT/RP-MR）を受信した場合に、その受信したSIP-MESSAGE（RP-ACK）（RP-MT/RP-MR）をFAPに送信する（ステップR14）。
【０２４０】
FAPは、SIP-MESSAGE（RP-ACK）（RP-MT/RP-MR）を受信した場合に、その受信したSIP-MESSAGE（RP-ACK）（RP-MT/RP-MR）を3GPPに準拠した情報に変換し、その変換した情報(CP-DATA（RP-ACK）)をUEに送信する（ステップR15）。また、FAPは、SIP-200 OKをCSCFに送信する（ステップR16）。
【０２４１】
CP-DATA（RP-ACK）には、図２２に示すように、Protocol Discriminator（9:SMS-Message）、Message Type（1:CP-DATA,4:CP-ACK）、CP-UserData、RP-MessageType（3:RP-ACK）、RP-MessageReferenceを含めて構成する。
【０２４２】
CSCFは、SIP-200 OKを受信した場合に、SIP-200 OKをIP-SM-GWに送信する（ステップR17）。
【０２４３】
UEは、CP-DATA（RP-ACK）を受信した場合に、CP-ACKをFAPに送信する（ステップR18）。
【０２４４】
HLR/AuCは、MAP-ReadyForSM（Memory Available）を受信した場合に、MCEFをオフにし（ステップR19）、MAP-AlertSCをSMSCに送信する（ステップR20）。
【０２４５】
SMSCは、MAP-AlertSCを受信した場合に、MAP-AlertSC AckをHLR/AuCに送信する（ステップR21）。
【０２４６】
また、SMSCは、MAP-MTfwSM inv (SMS Deliver)をIP-SM-GWに送信し（ステップR22）、ショートメッセージの再送を開始する。
【０２４７】
＜Ready For SM（SMMA）失敗ケース（エラー応答）＞
次に、図２３を参照しながら、Ready For SM（SMMA）失敗ケース（エラー応答）の場合の処理動作について説明する。
【０２４８】
FAPは、SIP-MESSAGE（RP-ERROR）（RP-MT/RP-MR/RP-CS）を受信した場合に（ステップS14）、その受信したSIP-MESSAGE（RP-ERROR）（RP-MT/RP-MR/RP-CS）を3GPPに準拠した情報に変換し、その変換した情報（CP-DATA（RP-ERROR））をUEに送信する（ステップS15）。また、FAPは、SIP-200 OKをCSCFに送信する（ステップS16）。
【０２４９】
UEは、CP-DATA（RP-ERROR）を受信した場合に、CP-ACKをFAPに送信する（ステップS18）。
【０２５０】
また、HLR/AuCは、Ready For SM（MSpresent）が失敗した場合に、MCEFをオンにセットしたままの状態にする（ステップS19）。
【０２５１】
＜Ready For SM（SMMA）失敗ケース（CN側無応答等）＞
次に、図２４を参照しながら、Ready For SM（SMMA）失敗ケース（CN側無応答等）の場合の処理動作について説明する。
【０２５２】
IP-SM-GWは、Primitive invocation（IMSI/Reason=MSpresent）をHSS/MAP-GWに送信してから所定時間が経過してもPrimitive AckをHSS/MAP-GWから受信できない場合は（Ack待ちTime Out）、SIP-MESSAGEをCSCFに送信しない（ステップT13）。
【０２５３】
この場合、FAPは、SIP-200 Acceptedを受信してから所定時間が経過してもSIP-MESSAGEをCSCFから受信できないため（RP-ACK Time Out）、RRCの解放処理を行うことになる（ステップT14）。
【０２５４】
なお、FAPは、SIP-MESSAGE（SMMA）(RP-MT/RP-MR)を送信してから所定時間が経過してもSIP-202 Acceptedを受信できない場合も同様に、RRCの解放処理を行うことになる（ステップT14）。
【０２５５】
＜本実施形態の通信システムの作用・効果＞
このように、本実施形態の通信システムは、UEとFAPとの間の通信は、上述したUEとMSCとの間で行う3GPPに準拠した通信を行い、FAPは、SMSに関する情報（3GPPに準拠した情報）をUEから受け付けた場合に、その受け付けたSMSに関する情報をSIPメッセージにマッピングし、そのマッピングしたSIPメッセージをIP-SM-GW宛に送信する。IP-SM-GWは、SIPメッセージを受信すると、Protocol DiscriminatorがSMSであり、RP-Message TypeがSMMA以外である場合は、送信先をSMSCとし、その受信したSIPメッセージをMAPメッセージにマッピングする。IP-SM-GWは、そのマッピングしたMAPメッセージをSMSCに送信し、UEから送信されたSMSに関する情報をSMSCまで流通させる。また、IP-SM-GWは、SMSに関する情報をSMSCから受け付けた場合に、その受け付けたSMSに関する情報をSIPメッセージにマッピングし、そのマッピングしたSIPメッセージをFAP宛に送信する。FAPは、SIPメッセージを受信すると、その受信したSIPメッセージを3GPPに準拠した情報に変換し、その変換したSMSに関する情報をUEに送信し、SMSCから送信されたSMSに関する情報をUEまで流通させる。
【０２５６】
また、IP-SM-GWは、SIPメッセージを受信すると、Protocol DiscriminatorがSMSであり、RP-Message TypeがSMMAである場合は、送信先をHSS/MAP-GWとし、その受信したSIPメッセージをSCTPメッセージにマッピングする。IP-SM-GWは、そのマッピングしたSCTPメッセージをHSS/MAP-GWに送信し、UEから送信されたSMSに関する情報をHSS/MAP-GWを介してHLR/AuCまで流通させる。また、IP-SM-GWは、HLR/AuCから送信されたSMSに関する情報をHSS/MAP-GWから受け付けた場合に、その受け付けたSMSに関する情報をSIPメッセージにマッピングし、そのマッピングしたSIPメッセージをFAP宛に送信する。FAPは、SIPメッセージを受信すると、その受信したSIPメッセージを3GPPに準拠した情報に変換し、その変換したSMSに関する情報をUEに送信し、HLR/AuCから送信されたSMSに関する情報をUEまで流通させる。
【０２５７】
また、UEの圏外状態を把握し易いFAPにMNRF（Mobile-Station-Not-Reachable-Flag）を設け、FAPは、ショートメッセージの配信時にUEの圏外を検知した場合に、MNRFをオンにセットし、SMS（Short Message Service）が到達不可であったことを示す状態に移行させる。そして、FAPは、UEが圏外復帰した場合に、MS Presentの情報をPDG→CSCF→IP-SM-GW→HSS/MAP-GWを介してHLR/AuCに通知し、FAPは、MS Presentの情報に対するACK（RP-ACK）をHLR/AuC→HSS/MAP-GW→IP-SM-GW→CSCF→PDGを介して受け付けた場合に、MNRFをオフにセットし、SMSが到達可能な状態に移行させる。また、HLR/AuCは、MS Presentの情報を受け付けた場合に、ショートメッセージの再送要求をSMSCに通知し、SMSCは、ショートメッセージの再送要求をHLR/AuCから受け付けた場合に、ショートメッセージの再送を開始し、IP-SM-GW→CSCF→PDG→FAPを介してUEにショートメッセージを配信する。
【０２５８】
また、FAPは、UEのメモリ不足が発生した旨の情報をUEから受け付けた場合に、その旨の情報をPDG→CSCF→IP-SM-GW→SMSCを介してHLR/AuCに通知し、HLR/AuCは、UEのメモリ不足が発生した旨の情報を受け付けた場合に、MWD（Messages-Waiting-Data）のMCEF（Mobile-Station-Memory-Capacity-Exceeded-Flag）をオンにセットする。そして、FAPは、UEのメモリ不足が解消した旨の情報をUEから受け付けた場合に、その旨の情報をPDG→CSCF→IP-SM-GW→HSS/MAP-GWを介してHLR/AuCに通知し、HLR/AuCは、UEのメモリ不足が解消した旨の情報を受け付けた場合に、MCEFをオフにセットする。そして、HLR/AuCは、ショートメッセージの再送要求をSMSCに通知し、SMSCは、ショートメッセージの再生要求をHLR/AuCから受け付けた場合に、IP-SM-GW→CSCF→PDG→FAPを介してUEにショートメッセージを配信する。なお、上述したMS Presentの情報の流通と、メモリ不足に関する情報の流通と、は各々別の処理動作として行われる。
【０２５９】
これにより、FAPを導入した図１に示す新たな通信システムの場合でも、既存3Gで行うショートメッセージと同様な配信制御を行うことが可能となる。
【０２６０】
なお、IMS-Femto網内のHSS/MAP-GWのVLRにMNRF（Mobile-Station-Not-Reachable-Flag）を設けるように構成することも考えられる。しかし、HSS/MAP-GWは、HSS/MAP-GWの配下に存在するノード（CSCF,PDG,FAP）から信号を受信できない場合に、UEの圏外により信号を受信できないのか、HSS/MAP-GWの配下に存在するノード（CSCF,PDG,FAP）のエラーで信号を受信できないのか、その他のエラーで信号を受信できないのかを特定することができない。従って、HSS/MAP-GWは、UEの圏外状態を容易に把握することができない。このため、本実施形態では、UEの圏外状態を把握し易いFAPにMNRF（Mobile-Station-Not-Reachable-Flag）を設けることにしている。これにより、FAPは、UEの圏外状態を特定し、MNRFのオン、オフを制御することが可能となる。その結果、FAPを導入した図１に示す新たな通信システムの場合でも、既存3Gで行うショートメッセージと同様な配信制御を行うことが可能となる。
【０２６１】
なお、FAPは、Ready For SM用のメッセージをコアネットワーク側に送信する場合には、PPI（P-Preferred-Identity）ヘッダのCPC（Calling Party's Category）パラメータの値をcpc=notificationに設定することにしている。これにより、FAPがコアネットワーク側に送信したReady For SM用のメッセージが発信規制対象のユーザのメッセージである場合でも、そのメッセージの発信規制を行わずに、コアネットワーク側のIP-SM-GWまでReady For SM用のメッセージを流通させることができる。FAPで生成するReady For SM用のメッセージの構成例を図２５に示す。図２５は、UEの圏外復帰の情報をコアネットワーク側に通知する際に使用するメッセージの構成例を示す。
【０２６２】
図２５に示すようにReady For SM用のSIPメッセージは、送信先のR-URIには、I HYPERLINK "mailto:P-SM-GW@operator.com" P-SM-GW@operator.comが設定され、PPI（P-Preferred-Identity）ヘッダのsip-uriには、UEのIMSIが設定され、CPC（Calling Party's Category）パラメータの値には、notificationが設定され、Content-Typeには、application/vnd.3gpp.smsが設定され、body部には、06；RP-MT（SMMA）,ff（固定）:RP-MR,01:Reason（MSpresent）が設定されている。CSCFは、図２５に示すSIPメッセージを受信した場合に、CPCパラメータには、notificationが設定されているため、CSCFに設定されている発信規制に該当するユーザのSIPメッセージである場合でも、発信規制を行わず、IP-SM-GWにSIPメッセージを送信することになる。これにより、FAPがコアネットワーク側に送信したReady For SM用のメッセージが発信規制対象のユーザのメッセージの場合であっても、CSCFで発信規制（例えば、ODB;Operator Determined Barring）などによる発信規制）を行わずに、CSCFを通過させてコアネットワーク側のIP-SM-GWまでReady For SM用のメッセージを送信し、IP-SM-GWを介してHSS/MAP-GWにReady For SM用のメッセージを送信することができる。
【０２６３】
なお、CPCパラメータの値をpriorityに設定しても、発信規制の有無に関わらずCSCFを通過させ、Ready For SM用のSIPメッセージをIP-SM-GWに送信することは可能である。しかし、この場合、優先加入者扱いの処理となってしまうため、状況によっては発信規制を行う虞がある。
【０２６４】
このため、本実施形態では、CPCパラメータの値をnotificationに設定し、上述した規制の不具合もなく、Ready For SM用のSIPメッセージをCSCFを通過させることが可能となる。
【０２６５】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【０２６６】
例えば、上述した実施形態では、FAPにMNRFを設けた場合について説明した。しかし、MNRFではなく、MNRG（Mobile Non Reachable for GPRS）を設け、上述したMFRFと同様な処理を行うように構築することも可能である。MFRGは、パケットSMSの到達可否を制御する際に使用するフラグである。
【０２６７】
また、上述した実施形態では、MAP-GW機能を標準ノードであるHSSの内部機能として実装し、HSS/MAP-GWとして説明した。しかし、MAP-GW機能は、HSSに実装するのではなく、MAP-GW機能単体の装置として構築したり、他の標準ノードであるIP-SM-GWに実装するように構築したりすることも可能である。
【０２６８】
また、上述した実施形態では、HSS/MAP-GWとIP-SM-GWとの間の通信は、SCTPを用いて行うことにした。しかし、SCTPに限定するものではなく、IPベースのプロトコルであればあらゆるプロトコルを用いて通信を行うように構築することが可能である。
【０２６９】
また、上述した実施形態では、IP-SM-GWは、SIPメッセージのProtocol Discriminatorの値を基に、SIPメッセージがSMS（Short Message Service）であるか、SMS以外（SS；Supplementary Service、CheckIMEI等）であるかを判別し、Protocol Discriminatorの値がSMSである場合は、RP-Message TypeがSMMAであるかSMMA以外であるかを判別する。そして、IP-SM-GWは、Protocol Discriminatorの値がSMS以外である場合と判別した場合、または、Protocol Discriminatorの値がSMSであり、RP-Message TypeがSMMAである場合は、プロトコル変換を行い、送信先をHSS/MAP-GWとしてメッセージを送受信することにした。また、IP-SM-GWは、Protocol Discriminatorの値がSMSであり、RP-Message TypeがSMMA以外である場合は、プロトコル変換を行い、送信先をSMSCとしてメッセージを送受信することにした。しかし、上述したIP-SM-GWで行った判別処理、プロトコル変換処理、送受信処理といった各機能を実現することができれば上述したIP-SM-GWで行う実施形態の構成に限定するものではなく、他の装置が上述したIP-SM-GWで行った機能を備える構成であっても、本発明は同様に実現することが可能である。
【０２７０】
例えば、図２６に示すように、CSCFが標準的に備えるサービス振り分け機能により上述した判別処理を行い、プロトコル変換処理や送受信処理といったCSCFとHSS/MAP GWとの間の通信制御をAS（Application server;変換装置）が行い、プロトコル変換処理や送受信処理といったCSCFとSMSCとの間の通信制御をIP-SM-GWが行うように構築することも可能である。即ち、CSCFとASとIP-SM-GWによるゲートウェイシステムが上述したIP-SM-GWにおける判別処理、プロトコル変換処理、送受信処理といった各機能を実装する構成であっても、本発明は同様に実現することができる。なお、図２６に示す構成を構築する場合は、CSCFとASとの間の通信は、IMS標準のプロトコルを用い、ASとHSS/MAP GWとの間の通信は、IPベースのプロトコルであれば、あらゆるプロトコルを適用することが可能である。
【０２７１】
なお、図２６に示す構成を構築する場合は、FAPがSCSFに送信するSIPメッセージのヘッダ情報に何らかのサービス判別子を付与することで、CSCFが加入者プロファイル上のiFC；initial Filter Criteria等により送信先の判別を行うように構築することも可能である。
【０２７２】
また、上述した図２６に示す構成においては、プロトコル変換処理や送受信処理といったCSCFとHSS/MAP GWとの間の通信制御機能をASが備えることとして説明した。しかし、この通信制御機能を実現する変換装置としての構成がどの筐体内にあるかは特に問われるものでなく、例えば、CSCFやHSSが変換装置を備える構成であっても、本発明は同様に実現することができる。
【０２７３】
また、本実施形態における通信システムは、3GPPのVersionには依存せずに処理を行うことが可能である。
【０２７４】
また、上述した本実施形態における通信システムを構成する各装置における制御動作は、ハードウェア、または、ソフトウェア、あるいは、両者の複合構成を用いて実行することも可能である。
【０２７５】
なお、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータにプログラムをインストールして実行させることが可能である。
【０２７６】
例えば、プログラムは、記録媒体としてのハードディスクやROM（Read Only Memory）に予め記録しておくことが可能である。あるいは、プログラムは、リムーバブル記録媒体に、一時的、あるいは、永続的に格納（記録）しておくことが可能である。このようなリムーバブル記録媒体は、いわゆるパッケージソフトウエアとして提供することが可能である。リムーバブル記録媒体としては、フロッピー（登録商標）ディスク、CD-ROM（Compact Disc Read Only Memory）、MO（Magneto optical）ディスク、DVD（Digital Versatile Disc）、磁気ディスク、半導体メモリなどが挙げられる。
【０２７７】
なお、プログラムは、上述したようなリムーバブル記録媒体からコンピュータにインストールすることになる。また、ダウンロードサイトから、コンピュータに無線転送することになる。また、ネットワークを介して、コンピュータに有線で転送することになる。
【０２７８】
また、本実施形態における通信システムは、上記実施形態で説明した処理動作に従って時系列的に処理を実行するのみならず、処理を実行する装置の処理能力、あるいは、必要に応じて並列的にあるいは個別に処理を実行するように構築することも可能である。
【０２７９】
また、本実施形態における通信システムは、複数の装置の論理的集合構成にしたり、各構成の装置が同一筐体内に存在する構成にしたりするように構築することも可能である。
【産業上の利用可能性】
【０２８０】
本発明は、フェムトセル用基地局を用いたサービスに適用可能である。
【符号の説明】
【０２８１】
UE    User Equipment
RNC    Radio Network Controller
MSC    Mobile Services Switching Centre
VLR    Visitor Location Register
SMSC    Short Message Service Center
HLR/AuC    Home Location Register/AUthentication Centre
FAP    Femto Access Point（フェムトセル用基地局）
PDG    Packet Data Gateway
AAA    Authentication Authorization Accounting
CSCF    Call Session Control Function
HSS/MAP GW    Home Subscriber Server/Mobile Application Part-Gateway（MAP-GW機能を内部に搭載したHSS）
IP-SM-GW    IP-Short Message-Gateway（ショートメッセージゲートウェイ装置）
AS    Application Server
【図１】
0005535536.tif 000002
【図２】
0005535536.tif 000003
【図３】
0005535536.tif 000004
【図４】
0005535536.tif 000005
【図５】
0005535536.tif 000006
【図６】
0005535536.tif 000007
【図７】
0005535536.tif 000008
【図８】
0005535536.tif 000009
【図９】
0005535536.tif 000010
【図１０】
0005535536.tif 000011
【図１１】
0005535536.tif 000012
【図１２】
0005535536.tif 000013
【図１３】
0005535536.tif 000014
【図１４】
0005535536.tif 000015
【図１５】
0005535536.tif 000016
【図１６】
0005535536.tif 000017
【図１７】
0005535536.tif 000018
【図１８】
0005535536.tif 000019
【図１９】
0005535536.tif 000020
【図２０】
0005535536.tif 000021
【図２１】
0005535536.tif 000022
【図２２】
0005535536.tif 000023
【図２３】
0005535536.tif 000024
【図２４】
0005535536.tif 000025
【図２５】
0005535536.tif 000026
【図２６】
0005535536.tif 000027